(57)【要約】      （修正有）【課題】無線ネットワークにおける電力管理装置、デバイス、システム及び方法を提供する。【解決手段】無線局は、第１のウェイクアップスケジュール要素（ＷＳＥ）を有する第１のフレームを送信する（４０２）。第１のＷＳＥは第１のビーコンインターバル（ＢＩ）スタートタイムフィールド値を有し、第１のＢＩスタートタイムフィールド値に基づきパワーセーブ（ＰＳ）モードにスイッチする（４０４）。ＰＳ中に第２のＷＳＥを有する第２のフレームを送信し、第２のＷＳＥは、第１のＢＩスタートタイムフィールド値と異なる第２のＢＩスタートタイムフィールド値を有する（４０６）。【選択図】図４
2019198118.tif 000002
【特許請求の範囲】
【請求項１】
無線通信の装置であって、
メモリ回路と、
無線通信局（ＳＴＡ）に、
ウェイクアップスケジュール要素において４オクテットを有するビーコンインターバル（ＢＩ）スタートタイムフィールドを設定させ、前記ＢＩスタートタイムフィールドは、（２３１−１）マイクロ秒以下である値と、前記ウェイクアップスケジュール要素が送信されるべきＢＩのターゲットビーコン送信時間（ＴＢＴＴ）とに基づき、
前記ＢＩの間に前記ウェイクアップスケジュール要素を有するフレームを送信させるよう構成されるロジック回路を有するプロセッサと、
を有する装置。
【請求項２】
前記ＳＴＡに、（２３１−１）マイクロ秒と、前記ウェイクアップスケジュール要素が送信されるべきＢＩのＴＢＴＴとの和以下である通知されたＴＢＴＴに基づき前記ＢＩスタートタイムフィールドを設定させるよう構成される、請求項１記載の装置。
【請求項３】
前記ＳＴＡに、前記ＢＩスタートタイムフィールドに基づきパワーセーブ（ＰＳ）モードにスイッチさせ、前記ＰＳモードにあるとき、前記ウェイクアップスケジュール要素に基づくサイクルに従ってアウェイクＢＩとドーズＢＩとの間でスイッチさせるよう構成される、請求項１記載の装置。
【請求項４】
前記ＳＴＡに、ビーコンインターバルにおいてスリープサイクル期間を通知するためのスリープサイクルフィールドを前記ウェイクアップスケジュール要素に設定させるよう構成される、請求項１記載の装置。
【請求項５】
前記ＳＴＡに、前記スリープサイクルを構成するアウェイクＢＩとドーズＢＩとの和に基づき前記スリープサイクルフィールドを設定させるよう構成される、請求項４記載の装置。
【請求項６】
前記ＳＴＡに、各スリープサイクルの始めにアウェイクＢＩの数を通知するためのアウェイクＢＩ数フィールドを前記ウェイクアップスケジュール要素に設定させるよう構成される、請求項１記載の装置。
【請求項７】
前記ＳＴＡに、アウェイクＢＩがスリープサイクルに含まれないことを通知するための前記ウェイクアップスケジュール要素におけるアウェイクＢＩ数フィールドをゼロの値に設定させるよう構成される、請求項１記載の装置。
【請求項８】
前記ＳＴＡに、タイミングシンクロナイゼーションファンクション（ＴＳＦ）タイマの下位４オクテットを通知するよう前記ＢＩスタートタイムフィールドを設定させるよう構成される、請求項１記載の装置。
【請求項９】
前記ＳＴＡに、スリープサイクルにおける第１のアウェイクＢＩを通知するよう前記ＢＩスタートタイムフィールドを設定させるよう構成される、請求項１乃至８何れか一項記載の装置。
【請求項１０】
前記ＳＴＡに、非アクセスポイント（ＡＰ）／非パーソナルベーシックサービスセットコントロールポイント（ＰＣＰ）（非ＡＰ／非ＰＣＰ）ＳＴＡとして前記フレームを送信させるよう構成され、前記フレームはパワーセーブコンフィギュレーションリクエストフレームを有する、請求項１乃至８何れか一項記載の装置。
【請求項１１】
前記ＳＴＡに、パーソナルベーシックサービスセット（ＰＢＳＳ）コントロールポイント（ＰＣＰ）ＳＴＡとして前記フレームを送信させるよう構成され、前記フレームはビーコンフレーム又はアナウンスフレームを有する、請求項１乃至８何れか一項記載の装置。
【請求項１２】
前記フレームを送信するための無線機を有する、請求項１乃至８何れか一項記載の装置。
【請求項１３】
前記無線機に接続される１つ以上のアンテナと、
前記ＳＴＡによって処理されるデータを格納するためのメモリと、
オペレーティングシステムの命令を実行するためのプロセッサと、
を有する、請求項１２記載の装置。
【請求項１４】
無線通信局（ＳＴＡ）において実行される無線通信の方法であって、
ウェイクアップスケジュール要素において４オクテットを有するビーコンインターバル（ＢＩ）スタートタイムフィールドを設定することであって、前記ＢＩスタートタイムフィールドは、（２３１−１）マイクロ秒以下である値と、前記ウェイクアップスケジュール要素が送信されるべきＢＩのターゲットビーコン送信時間（ＴＢＴＴ）とに基づき、
前記ＢＩの間に前記ウェイクアップスケジュール要素を有するフレームを送信することと、
を有する方法。
【請求項１５】
（２３１−１）マイクロ秒と、前記ウェイクアップスケジュール要素が送信されるべきＢＩのＴＢＴＴとの和以下である通知されたＴＢＴＴに基づき前記ＢＩスタートタイムフィールドを設定することを有する、請求項１４記載の方法。
【請求項１６】
前記ＳＴＡに、前記ＢＩスタートタイムフィールドに基づきパワーセーブ（ＰＳ）モードにスイッチさせ、前記ＰＳモードにあるとき、前記ウェイクアップスケジュール要素に基づくサイクルに従ってアウェイクＢＩとドーズＢＩとの間でスイッチさせることを有する、請求項１４記載の方法。
【請求項１７】
各スリープサイクルの始めにアウェイクＢＩの数を通知するためのアウェイクＢＩ数フィールドを前記ウェイクアップスケジュール要素に設定することを有する、請求項１４記載の方法。
【請求項１８】
アウェイクＢＩがスリープサイクルに含まれないことを通知するための前記ウェイクアップスケジュール要素におけるアウェイクＢＩ数フィールドをゼロの値に設定することを有する、請求項１４記載の方法。
【請求項１９】
タイミングシンクロナイゼーションファンクション（ＴＳＦ）タイマの下位４オクテットを通知するよう前記ＢＩスタートタイムフィールドを設定することを有する、請求項１４記載の方法。
【請求項２０】
スリープサイクルにおける第１のアウェイクＢＩを通知するよう前記ＢＩスタートタイムフィールドを設定することを有する、請求項１４記載の方法。
【請求項２１】
前記ＳＴＡに、非アクセスポイント（ＡＰ）／非パーソナルベーシックサービスセットコントロールポイント（ＰＣＰ）（非ＡＰ／非ＰＣＰ）ＳＴＡとして前記フレームを送信させることを有し、前記フレームはパワーセーブコンフィギュレーションリクエストフレームを有する、請求項１４記載の方法。
【請求項２２】
前記ＳＴＡに、パーソナルベーシックサービスセット（ＰＢＳＳ）コントロールポイント（ＰＣＰ）ＳＴＡとして前記フレームを送信させることを有し、前記フレームはビーコンフレーム又はアナウンスフレームを有する、請求項１４記載の方法。
【請求項２３】
請求項１４乃至２２何れか一項記載の方法を無線通信局（ＳＴＡ）に実行させる手段を有する無線通信の装置。
【請求項２４】
請求項１４乃至２２何れか一項記載の方法を無線通信局（ＳＴＡ）に実行させるコンピュータプログラム。
【請求項２５】
請求項２４記載のコンピュータプログラムを記憶する１つ以上のコンピュータ可読記憶媒体。
【発明の詳細な説明】
【技術分野】
【０００１】
［相互参照］
本出願は、その開示全体が参照することによってここに援用される、２０１５年１月２０日に出願された“Ａｐｐａｒａｔｕｓ，Ｓｙｓｔｅｍ  ａｎｄ  Ｍｅｔｈｏｄ  ｏｆ  Ｐｏｗｅｒ  Ｍａｎａｇｅｍｅｎｔ  ｉｎ  ａ  Ｗｉｒｅｌｅｓｓ  Ｎｅｔｗｏｒｋ”という名称の米国仮特許出願第６２／１０５，２８２号の利益及び優先権を主張する。
［技術分野］
ここに説明される実施例は、一般に無線ネットワークにおける電力管理に関する。
【背景技術】
【０００２】
パーソナルベーシックサービスセット（ＰＢＳＳ）制御ポイント（ＰＣＰ）は、ＤＭＧ（Ｄｉｒｅｃｔｉｏｎａｌ−Ｍｕｌｔｉ−Ｇｉｇａｂｙｔｅ）ネットワークなどのミリ波帯域を介し無線通信ネットワークにおいて動作しうる。
ＰＣＰは、例えば、ＩＥＥＥ８０２．１１ａｄ−２０１２（“ＩＥＥＥ  Ｐ８０２．１１ａｄ−２０１２，ＩＥＥＥ  Ｓｔａｎｄａｒｄ  ｆｏｒ  Ｉｎｆｏｒｍａｔｉｏｎ  Ｔｅｃｈｎｏｌｏｇｙ−Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ−Ｌｏｃａｌ  ａｎｄ  Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ−Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ−Ａｍｅｎｄｍｅｎｔ  ３：Ｅｎｈａｎｃｅｍｅｎｔｓ  ｆｏｒ  Ｖｅｒｙ  Ｈｉｇｈ  Ｔｈｒｏｕｇｈｐｕｔ  ｉｎ  ｔｈｅ  ６０ＧＨｚ  Ｂａｎｄ”，２８  Ｄｅｃｅｍｂｅｒ，２０１２）に従って電力管理機構を利用してもよい。
【図面の簡単な説明】
【０００３】
図の簡単化及び明確さのため、図面に示される要素は縮尺通りに示されているとは限らない。例えば、要素の一部の大きさは提示の明確さのため他の要素に対して誇張されているかもしれない。さらに、参照番号は対応する又は同様の要素を示すために図面間において繰り返されてもよい。図は以下に列挙される。
【図１】図１は、いくつかの例示的な実施例によるシステムの概略的なブロック図である。
【図２】図２は、いくつかの例示的な実施例によるビーコンインターバル（ＢＩ）スタートタイムフィールドが更新されないときの無線局（ＳＴＡ）の電力セーブモードの表示の概略図である。
【図３】図３は、いくつかの例示的な実施例によるＢＩスタートタイムフィールドが更新されるときの無線局（ＳＴＡ）の電力セーブモードの表示の概略図である。
【図４】図４は、いくつかの例示的な実施例による無線ネットワークにおける電力管理方法の概略的なフローチャートである。
【図５】図５は、いくつかの例示的な実施例による製造物の概略図である。
【発明を実施するための形態】
【０００４】
以下の詳細な説明では、いくつかの実施例の完全な理解を提供するため、多数の具体的な詳細が提供される。しかしながら、いくつかの実施例はこれらの具体的な詳細なしに実施できることは、当業者によって理解されるであろう。他の例では、周知の方法、手順、構成要素、ユニット及び／又は回路は、説明を不明瞭にしないように詳細には説明されていない。
【０００５】
例えば、「処理する」、「計算する」、「算出する」、「決定する」、「確立する」、「分析する」、「確認する」などの用語を利用するここでの説明は、コンピュータのレジスタ及び／又はメモリ内の物理的（例えば、電子）量として表されるデータを、処理及び／又はプロセスを実行するための命令を記憶しうるコンピュータのレジスタ及び／又はメモリ若しくは他の情報記憶媒体内の物理量として同様に表される他のデータに操作及び／又は変換するコンピュータ、計算プラットフォーム、計算システム又は他の電子計算デバイスの処理及び／又はプロセスを参照してもよい。
【０００６】
ここに用いられる「複数」という用語は、例えば、「複数」又は「２つ以上」を含む。例えば、「複数のアイテム」は、２以上のアイテムを含む。  「一実施例」、「実施例」、「例示的な実施例」、「様々な実施形態」などの参照は、そのように記載された実施例が特定の特徴、構造又は特性を含むことができるが、必ずしも全ての実施例が特定の特徴、構造又は特性を含むとは限らない。さらに、「一実施例では」という語句を繰り返し使用することは、必ずしも同一の実施例を参照しているとは限らない。
【０００７】
ここに用いられるように、そうでないと特定されない限り、共通のオブジェクトを記述するための序数形「第１」、「第２」、「第３など」の使用は、単に類似するオブジェクトの異なるインスタンスが参照されていることを示すだけであり、そのように記述されたオブジェクトが、時間的、空間的、順位付けの所与の順序で、又は他の何れかの方式でなければならないことを意味することを意図しない。
【０００８】
いくつかの実施例は、例えば、ユーザ装置（ＵＥ）、モバイルデバイス（ＭＤ）、無線局（ＳＴＡ）、パーソナルコンピュータ（ＰＣ）、デスクトップコンピュータ、モバイルコンピュータ、ラップトップコンピュータ、ノートブックコンピュータ、タブレットコンピュータ、ＩｏＴ（Ｉｎｔｅｒｎｅｔ  ｏｆ  Ｔｈｉｎｇｓ）デバイス、センサデバイス、サーバコンピュータ、携帯コンピュータ、携帯デバイス、パーソナルデジタルアシスタント（ＰＤＡ）デバイス、携帯ＰＤＡデバイス、オンボードデバイス、オフボードデバイス、ハイブリッドデバイス、車両用デバイス、非車両用デバイス、モバイル若しくはポータブルデバイス、コンシューマデバイス、非モバイル若しくは非ポータブルデバイス、無線通信局、無線通信デバイス、無線アクセスポイント（ＡＰ）、有線若しくは無線ルータ、有線若しくは無線モデム、ビデオデバイス、オーディオデバイス、オーディオビデオ（Ａ／Ｖ）デバイス、有線若しくは無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）などの各種デバイス及びシステムと共に利用されてもよい。
【０００９】
いくつかの実施例は、既存のＷｉｒｅｌｅｓｓ−Ｇｉｇａｂｉｔ−Ａｌｌｉａｎｃｅ（ＷＧＡ）仕様（Ｗｉｒｅｌｅｓｓ  Ｇｉｇａｂｉｔ  Ａｌｌｉａｎｃｅ，Ｉｎｃ  ＷｉＧｉ  ＭＡＣ  ａｎｄ  ＰＨＹ  Ｓｐｅｃｉｆｉｃａｔｉｏｎ  Ｖｅｒｓｉｏｎ  １．１，Ａｐｒｉｌ  ２０１１，Ｆｉｎａｌ  ｓｐｅｃｉｆｉｃａｔｉｏｎ）及び／又は以降のバージョン及び／又はこれらの派生に従って動作するデバイス及び／又はネットワーク、既存のＩＥＥＥ８０２．１１規格（ＩＥＥＥ８０２．１１−２０１２，ＩＥＥＥ  Ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）Ｓｐｅｃｉｆｉｃａｔｉｏｎｓ，Ｍａｒｃｈ  ２９，２０１２；ＩＥＥＥ８０２．１１ａｃ−２０１３（“ＩＥＥＥ  Ｐ８０２．１１ａｃ−２０１３，ＩＥＥＥ  Ｓｔａｎｄａｒｄ  ｆｏｒ  Ｉｎｆｏｒｍａｔｉｏｎ  Ｔｅｃｈｎｏｌｏｇｙ−Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ−Ｌｏｃａｌ  ａｎｄ  Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ−Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）Ｓｐｅｃｉｆｉｃａｔｉｏｎｓ−Ａｍｅｎｄｍｅｎｔ  ４：Ｅｎｈａｎｃｅｍｅｎｔｓ  ｆｏｒ  Ｖｅｒｙ  Ｈｉｇｈ  Ｔｈｒｏｕｇｈｐｕｔ  ｆｏｒ  Ｏｐｅｒａｔｉｏｎ  ｉｎ  Ｂａｎｄｓ  ｂｅｌｏｗ  ６ＧＨｚ”，Ｄｅｃｅｍｂｅｒ，２０１３）；ＩＥＥＥ８０２．１１ａｄ（“ＩＥＥＥ  Ｐ８０２．１１ａｄ−２０１２，ＩＥＥＥ  Ｓｔａｎｄａｒｄ  ｆｏｒ  Ｉｎｆｏｒｍａｔｉｏｎ  Ｔｅｃｈｎｏｌｏｇｙ−Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ−Ｌｏｃａｌ  ａｎｄ  Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ−Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）Ｓｐｅｃｉｆｉｃａｔｉｏｎｓ−Ａｍｅｎｄｍｅｎｔ  ３：Ｅｎｈａｎｃｅｍｅｎｔｓ  ｆｏｒ  Ｖｅｒｙ  Ｈｉｇｈ  Ｔｈｒｏｕｇｈｐｕｔ  ｉｎ  ｔｈｅ  ６０ＧＨｚ  Ｂａｎｄ”，２８  Ｄｅｃｅｍｂｅｒ，２０１２）；ＩＥＥＥ−８０２．１１ＲＥＶｍｃ（“ＩＥＥＥ８０２．１１−ＲＥＶｍｃＴＭ／Ｄ３．０，Ｊｕｎｅ  ２０１４  ｄｒａｆｔ  ｓｔａｎｄａｒｄ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ  Ｌｏｃａｌ  ａ��ｄ  ｍｅｔｒｏｐｏｌｉｔａｎ  ａｒｅａ  ｎｅｔｗｏｒｋｓ  Ｓｐｅｃｉｆｉｃ  ｒｅｑｕｉｒｅｍｅｎｔｓ；Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）Ｓｐｅｃｉｆｉｃａｔｉｏｎ”）；ＩＥＥＥ８０２．１１−ａｙ（Ｐ８０２．１１ａｙ  Ｓｔａｎｄａｒｄ  ｆｏｒ  Ｉｎｆｏｒｍａｔｉｏｎ  Ｔｅｃｈｎｏｌｏｇｙ−Ｔｅｌｅｃｏｍｍｕｎｉｃａｔｉｏｎｓ  ａｎｄ  Ｉｎｆｏｒｍａｔｉｏｎ  Ｅｘｃｈａｎｇｅ  Ｂｅｔｗｅｅｎ  Ｓｙｓｔｅｍｓ  Ｌｏｃａｌ  ａｎｄ  Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）Ｓｐｅｃｉｆｉｃａｔｉｏｎｓ−Ａｍｅｎｄｍｅｎｔ：Ｅｎｈａｎｃｅｄ  Ｔｈｒｏｕｐｕｔ  ｆｏｒ  Ｏｐｅｒａｔｉｏｎ  ｉｎ  Ｌｉｃｅｎｓｅ−Ｅｘｅｍｐｔ  Ｂａｎｄｓ  Ａｂｏｖｅ  ４５ＧＨｚ））及び／又は以降のバージョン及び／又はこれらの派生に従って動作するデバイス及び／又はネットワーク、既存のＷｉｒｅｌｅｓｓ  Ｆｉｄｅｌｉｔｙ（ＷｉＦｉ）Ａｌｌｉａｎｃｅ（ＷＦＡ）Ｐｅｅｒ−ｔｏ−Ｐｅｅｒ（Ｐ２Ｐ）  ｓｐｅｃｉｆｉｃａｔｉｏｎｓ（ＷｉＦｉ  Ｐ２Ｐ  ｔｅｃｈｎｉｃａｌ  ｓｐｅｃｉｆｉｃａｔｉｏｎ，ｖｅｒｓｉｏｎ  １．５，Ａｕｇｕｓｔ  ４，２０１５）及び／又は以降のバージョン及び／又はこれらの派生に従って動作するデバイス及び／又はネットワーク、３ｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）及び／又は以降のバージョン及び／又はこれらの派生などの既存のセルラ仕様及び／又はプロトコルに従って動作するデバイス及び／又はネットワーク、上記ネットワークの一部であるユニット及び／又はデバイスなどと共に利用されてもよい。
【００１０】
いくつかの実施例は、一方向及び／又は双方向無線通信システム、セルラ無線電話通信システム、携帯電話、セルラ電話、無線電話、パーソナル通信システム（ＰＣＳ）デバイス、無線通信デバイスを搭載したＰＤＡデバイス、モバイル若しくはポータブルグローバルポジショニングシステム（ＧＰＳ）デバイス、ＧＰＳ受信機、送受信機若しくはチップを搭載したデバイス、ＲＦＩＤ要素又はチップを搭載したデバイス、ＭＩＭＯ（Ｍｕｌｔｉｐｌｅ  Ｉｎｐｕｔ  Ｍｕｌｔｉｐｌｅ  Ｏｕｔｐｕｔ）送受信機若しくはデバイス、ＳＩＭＯ（Ｓｉｎｇｌｅ  Ｉｎｐｕｔ  Ｍｕｌｔｉｐｌｅ  Ｏｕｔｐｕｔ）送受信機若しくはデバイス、ＭＩＳＯ（Ｍｕｌｔｉｐｌｅ  Ｉｎｐｕｔ  Ｓｉｎｇｌｅ  Ｏｕｔｐｕｔ）送受信機若しくはデバイス、１つ以上の内部アンテナ及び／又は外部アンテナを有するデバイス、ＤＶＢ（Ｄｉｇｉｔａｌ  Ｖｉｄｅｏ  Ｂｒｏａｄｃａｓｔ）デバイス若しくはシステム、マルチ規格無線デバイス若しくはシステム、スマートフォン、ＷＡＰ（Ｗｉｒｅｌｅｓｓ  Ａｐｐｌｉｃａｔｉｏｎ  Ｐｒｏｔｏｃｏｌ）デバイスなどの有線若しくは無線携帯デバイスと共に利用されてもよい。
【００１１】
いくつかの実施例は、例えば、無線周波数（ＲＦ）、赤外線（ＩＲ）、周波数分割多重（ＦＤＭ）、直交ＦＤＭ（ＯＦＤＭ）、直交周波数分割多重接続（ＯＦＤＭＡ）、ＦＤＭ時分割多重（ＴＤＭ）、時分割多重接続（ＴＤＭＡ）、マルチユーザＭＩＭＯ（ＭＵ−ＭＩＭＯ）、空間分割多重接続（ＳＤＭＡ）、拡張ＴＤＭＡ（Ｅ−ＴＤＭＡ）、ＧＰＲＳ（Ｇｅｎｅｒａｌ  Ｐａｃｋｅｔ  Ｒａｄｉｏ  Ｓｅｒｖｉｃｅ）、拡張ＧＰＲＳ、符号分割多重接続（ＣＤＭＡ）、ワイドバンドＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、ＤＭＴ（Ｄｉｓｃｒｅｔｅ  Ｍｕｌｔｉ−Ｔｏｎｅ）、Ｂｌｕｅｔｏｏｔｈ（登録商標）、ＧＰＳ（Ｇｌｏｂａｌ  Ｐｏｓｉｔｉｏｎｉｎｇ  Ｓｙｓｔｅｍ）、Ｗｉ−Ｆｉ、Ｗｉ−Ｍａｘ、ＺｉｇＢｅｅＴＭ、ＵＷＢ（Ｕｌｔｒａ−Ｗｉｄｅｂａｎｄ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、２Ｇ、２．５Ｇ、３Ｇ、３．５Ｇ、４Ｇ、第５世代（５Ｇ）若しくは第６世代（６Ｇ）モバイルネットワーク、３ＧＰＰ、ＬＴＥ、ＬＴＥ  ａｄｖａｎｃｅｄ、Ｅｎｈａｎｃｅｄ  Ｄａｔａ  ｒａｔｅｓ  ｆｏｒ  ＧＳＭ（登録商標）  Ｅｖｏｌｕｔｉｏｎ（ＥＤＧＥ）などの１つ以上のタイプの無線通信信号及び／又はシステムと共に利用されてもよい。他の実施例は、他の各種デバイス、システム及び／又はネットワークにおいて利用されてもよい。
【００１２】
ここに用いられるような「無線デバイス」という用語は、例えば、無線通信可能なデバイス、無線通信可能な通信デバイス、無線通信可能な通信局、無線通信可能な携帯若しくは非携帯デバイスなどを含む。いくつかの例示的な実施例では、無線デバイスは、コンピュータと一体化される周辺装置又はコンピュータに付属される周辺装置であってもよいし、あるいは、含むものであってもよい。いくつかの例示的な実施例では、「無線デバイス」という用語は、任意的には無線サービスを含むものであってもよい。
【００１３】
通信信号に関してここで用いられるような「通信」という用語は、通信信号を送信及び／又は受信することを含む。例えば、通信信号を通信可能な通信ユニットは、通信信号を少なくとも１つの他の通信ユニットに送信するための送信機、及び／又は少なくとも１つの他の通信ユニットから通信信号を受信するための受信機を含むものであってもよい。通信という用語は、送信アクション又は受信アクションを参照するのに利用されてもよい。一例では、「信号を通信する」という語句は、第１のデバイスによる信号を送信するアクションを参照してもよく、第２のデバイスによる信号を受信するアクションを必ずしも含まなくてもよい。他の例では、「信号を通信する」という語句は、第１のデバイスによる信号を受信するアクションを参照してもよく、第２のデバイスによる信号を送信するアクションを必ずしも含まなくてもよい。
【００１４】
いくつかの例示的な実施例は、ＷｉＦｉネットワークなどのＷＬＡＮと共に利用されてもよい。他の実施例は、例えば、無線エリアネットワーク、「ピコネット」、ＷＰＡＮ、ＷＶＡＮなどの他の何れか適した無線通信ネットワークと共に利用されてもよい。
【００１５】
いくつかの例示的な実施例は、６０ＧＨｚの周波数帯を介し通信する無線通信ネットワークと共に利用されてもよい。しかしながら、他の実施例は、例えば、２０〜３００ＧＨｚの周波数帯内の周波数帯、４５ＧＨｚ以上の周波数帯、サブ１ＧＨｚ（Ｓ１Ｇ）帯域、２．４ＧＨｚ帯域、５ＧＨｚ帯域、ＷＰＡＮ周波数帯、ＷＧＡ仕様による周波数帯などの２０ＧＨｚ以下の周波数帯などのＥＨＦ（Ｅｘｔｒｅｍｅｌｙ  Ｈｉｇｈ  Ｆｒｅｑｕｅｎｃｙ）帯（ミリ波（ｍｍＷａｖｅ）周波数帯などの他の何れか適した無線通信周波数帯を用いて実現されてもよい。
【００１６】
ここで用いられる「アンテナ」という用語は、何れか適した１つ以上のアンテナ要素、コンポーネント、ユニット、アセンブリ及び／又はアレイの構成、構造及び／又は配置を含むものであってもよい。いくつかの実施例では、アンテナは、別々の送受信アンテナ要素を用いた送受信機能を実現してもよい。いくつかの実施例では、アンテナは、共通及び／又は一体化された送信／受信要素を用いた送受信機能を実現してもよい。アンテナは、例えば、位相アレイアンテナ、シングルエレメントアンテナ、スイッチドビームアンテナセットなどを含むものであってもよい。
【００１７】
ここで用いられる「指向性マルチギガビット（ＤＭＧ）」及び「指向性帯域（ＤＢａｎｄ）」という語句は、チャネルスタート周波数が４５ＧＨｚ以上の周波数帯に関するものであってもよい。一例では、ＤＭＧ通信は、例えば、７毎秒ギガビット又は他の何れかのレートなどの少なくとも毎秒１ギガビットなどの毎秒マルチギガビットのレートで通信するための１つ以上の指向性リンクに関するものであってもよい。
【００１８】
いくつかの例示的な実施例は、例えば、ＤＭＧ帯の範囲内のチャネル上で動作可能な無線送信機を有するＳＴＡなどを含みうる（「ｍｍＷａｖｅ  ＳＴＡ（ｍＳＴＡ）」として参照されてもよい）ＤＭＧ  ＳＴＡによって実現されてもよい。ＤＭＧ  ＳＴＡは、他の追加的な又は代替的な機能を実行してもよい。他の実施例は、他の何れかの装置、デバイス及び／又はステーションによって実現されてもよい。
【００１９】
いくつかの例示的な実施例によるシステム１００を概略的に示す図１が参照される。
【００２０】
図１に示されるように、いくつかの例示的な実施例では、システム１００は１つ以上の無線通信デバイスを含んでもよい。例えば、システム１００は、第１の無線通信デバイス１０２及び／又は第２の無線通信デバイス１４０を含んでもよい。
【００２１】
いくつかの例示的な実施例では、デバイス１０２及び／又は１４０は、モバイルデバイス又は静的デバイスなどの非モバイルデバイスを含んでもよい。
【００２２】
例えば、デバイス１０２及び／又は１４０は、例えば、ＵＥ、ＭＤ、ＳＴＡ、ＡＰ、ＰＣ、デスクトップコンピュータ、モバイルコンピュータ、ラップトップコンピュータ、ＵｌｔｒａｂｏｏｋＴＭコンピュータ、ノートブックコンピュータ、タブレットコンピュータ、サーバコンピュータ、携帯コンピュータ、ＩｏＴ（Ｉｎｔｅｒｎｅｔ  ｏｆ  Ｔｈｉｎｇｓ）デバイス、センサデバイス、ウェアラブルデバイス、携帯デバイス、ＰＤＡデバイス、携帯ＰＤＡデバイス、オンボードデバイス、オフボードデバイス、ハイブリッドデバイス（例えば、携帯電話機能とＰＤＡデバイス機能とを組み合わせるなど）、コンシューマデバイス、車両用デバイス、非車両用デバイス、モバイル若しくはポータブルデバイス、非モバイル若しくは非ポータブルデバイス、携帯電話、セルラ電話、ＰＣＳデバイス、無線通信デバイスを内蔵したＰＤＡ装置、モバイル若しくはポータブルＧＰＳデバイス、ＤＶＢデバイス、比較的小さな計算デバイス、非デスクトップコンピュータ、ＣＳＬＬ（Ｃａｒｒｙ  Ｓｍａｌｌ  Ｌｉｖｅ  Ｌａｒｇｅ）デバイス、ウルトラモバイルデバイス（ＵＭＤ）、ウルトラモバイルＰＣ（ＵＭＰＣ）、モバイルインターネットデバイス（ＭＩＤ）、「Ｏｒｉｇａｍｉ」デバイス若しくは計算デバイス、ＤＣＣ（Ｄｙｎａｍｉｃａｌｌｙ  Ｃｏｍｐｏｓａｂｌｅ  Ｃｏｍｐｕｔｉｎｇ）をサポートするデバイス、コンテキスト認識デバイス、ビデオデバイス、オーディオデバイス、Ａ／Ｖデバイス、セットトップ（ＳＴＢ）、Ｂｌｕ−ｒａｙ（登録商標）（ＢＤ）ディスクプレーヤ、ＢＤレコーダ、デジタルビデオディスク（ＤＶＤ）プレーヤ、高品位（ＨＤ）ＤＶＤプレーヤ、ＤＶＤレコーダ、ＨＤ  ＤＶＤレコーダ、パーソナルビデオレコーダ（ＰＶＲ）、放送ＨＤ受信機、ビデオソース、オーディオソース、ビデオシンク、オーディオシンク、ステレオチューナ、放送ラジオ受信機、フラットパネルディスプレイ、パーソナルメディアプレーヤ（ＰＭＰ）、デジタルビデオカメラ（ＤＶＣ）、デジタルオーディオプレーヤ、スピーカ、オーディオレシーバ、オーディオアンプ、ゲームデバイス、データソース、データシンク、デジタルスチルカメラ（ＤＳＣ）、メディアプレーヤ、スマートフォン、テレビ、音楽プレーヤなどを含むものであってもよい。
【００２３】
いくつかの例示的な実施例では、デバイス１０２は、例えば、プロセッサ１９１、入力ユニット１９２、出力ユニット１９３、メモリユニット１９４及び／又はストレージユニット１９５の１つ以上を含んでもよく、及び／又はデバイス１４０は、例えば、プロセッサ１８１、入力ユニット１８２、出力ユニット１８３、メモリユニット１８４及び／又はストレージユニット１８５の１つ以上を含んでもよい。デバイス１０２及び／又は１４０は、任意的に、他の適切なハードウェア構成要素及び／又はソフトウェア構成要素を含んでもよい。いくつかの例示的な実施例では、デバイス１０２及び／又は１４０の１つ以上のコンポーネントの一部又は全ては、共通のハウジング又はパッケージングに封入されてもよく、あるいは、１つ以上の有線又は無線リンクを使用して相互接続若しくは動作可能に関連付けされてもよい。他の実施例では、デバイス１０２及び／又は１４０の１つ以上のコンポーネントは、複数のデバイス又は別々のデバイスに分散されてもよい。
【００２４】
いくつかの例示的な実施例では、プロセッサ１９１及び／又はプロセッサ１８１は、例えば、中央処理ユニット（ＣＰＵ）、デジタル信号プロセッサ（ＤＳＰ）、１つ以上のプロセッサコア、シングルコアプロセッサ、デュアルコアプロセッサ、マルチコアプロセッサ、マイクロプロセッサ、ホストプロセッサ、コントローラ、複数のプロセッサ若しくはコントローラ、チップ、マイクロチップ、１つ以上の回路、回路、論理ユニット、集積回路（ＩＣ）、特定用途向けＩＣ（ＡＳＩＣ）又は他の何れか適切な多目的若しくは特定のプロセッサ若しくはコントローラを含んでもよい。プロセッサ１９１は、例えば、デバイス１０２のオペレーティングシステム（ＯＳ）及び／又は１つ以上の適切なアプリケーションの命令を実行する。プロセッサ１８１は、例えば、デバイス１４０のオペレーティングシステム（ＯＳ）及び／又は１つ以上の適切なアプリケーションの命令を実行する。
【００２５】
いくつかの例示的な実施例では、入力ユニット１９２及び／又は１８２は、例えば、キーボード、キーパッド、マウス、タッチスクリーン、タッチパッド、トラックボール、スタイラス、マイクロホン又は他の適切なポインティングデバイス若しくは入力デバイスを含む。出力ユニット１９３及び又は１８３は、例えば、モニタ、スクリーン、タッチスクリーン、フラットパネルディスプレイ、ＬＥＤ（Ｌｉｇｈｔ  Ｅｍｉｔｔｉｎｇ  Ｄｉｏｄｅ）ディスプレイユニット、ＬＣＤ（Ｌｉｑｕｉｄ  Ｃｒｙｓｔａｌ  Ｄｉｓｐｌａｙディスプレイユニット、）プラズマディスプレイユニット、１つ以上のオーディオスピーカ若しくはイヤホン又は他の適切な出力デバイスを含む。
【００２６】
いくつかの例示的な実施例では、メモリユニット１９４及び／又は１８４は、例えば、ランダムアクセスメモリ（ＲＡＭ）、読み出し専用メモリ（ＲＯＭ）、ダイナミックＲＡＭ（ＤＲＡＭ）、シンクロナスＤＲＡＭ（ＳＤＲＡＭ）、フラッシュメモリ、揮発性メモリ、不揮発性メモリ、キャッシュメモリ、バッファ、短期メモリユニット、長期メモリユニット又は他の適切なメモリユニットを含む。ストレージユニット１９５及び／又は１８５は、例えば、ハードディスクドライブ、フロッピディスクドライブ、コンパクトディスク（ＣＤ）ドライブ、ＣＤ−ＲＯＭドライブ、ＤＶＤドライブ又は他の適切なリムーバブル若しくは非リムーバブルストレージユニットを含む。例えば、メモリユニット１９４及び／又はストレージユニット１９５は、デバイス１０２によって処理されたデータを記憶することができる。メモリユニット１９４及び／又はストレージユニット１９５は、例えば、デバイス１４０によって処理されたデータを記憶することができる。
【００２７】
いくつかの例示的な実施例では、無線通信デバイス１０２及び／又は１４０は、無線媒体（ＷＭ）１０３を介しコンテンツ、データ、情報及び／又は信号を通信可能であってもよい。いくつかの例示的な実施例では、無線媒体１０３は、例えば、無線チャネル、セルラチャネル、ＲＦチャネル、ＷｉＦｉチャネル、ＩＲチャネル、ブルートゥース（登録商標）（ＢＴ）チャネル、グローバル・ナビゲーション・サテライト・システム（ＧＮＳＳ）チャネルなどを含んでもよい。
【００２８】
いくつかの例示的な実施例では、ＷＭ１０３は指向性チャネルを含んでもよい。例えば、ＷＭ１０３は、ミリ波（ｍｍＷａｖｅ）無線通信チャネルを含んでもよい。
【００２９】
いくつかの例示的な実施例では、ＷＭ１０３はＤＭＧチャネルを含んでもよい。他の実施例では、ＷＭ１０３は、他の何れかの追加又は代替の指向性チャネルを含んでもよい。
【００３０】
他の実施例では、ＷＭ１０３は、他の何れかの周波数帯域にわたって他の何れかのタイプのチャネルを含んでもよい。
【００３１】
いくつかの例示的な実施例では、デバイス１０２及び／又は１４０は、例えば以下に説明されるように、１つ以上の無線局の機能を実行してもよい。
【００３２】
いくつかの例示的な実施例では、デバイス１０２及び／又は１４０は、１つ以上のＤＭＧ局の機能を実行してもよい。
【００３３】
他の実施例では、デバイス１０２及び／又は１４０は、例えば、ＷＬＡＮ  ＳＴＡ、ＷｉＦｉ  ＳＴＡなどの他の何れかの無線デバイス及び／又はステーションの機能を実行してもよい。
【００３４】
いくつかの例示的な実施例では、デバイス１０２及び／又は１４０は、デバイス１０２，１４０及び／又は１つ以上の他の無線通信デバイスの間の無線通信を実行する回路及び／又はロジックを含む１つ以上の無線機を含んでもよい。例えば、デバイス１０２は無線機１１４を含み、及び／又はデバイス１４０は無線機１４４を含んでもよい。
【００３５】
いくつかの例示的な実施例では、無線機１１４及び／又は１４４は、無線通信信号、ＲＦ信号、フレーム、ブロック、送信ストリーム、パケット、メッセージ、データアイテム及び／又はデータを受信する回路及び／又はロジックを含む１つ以上の無線受信機（Ｒｘ）を含んでもよい。例えば、無線機１１４は受信機１１６を含み、及び／又は無線機１４４は受信機１４６を含んでもよい。
【００３６】
いくつかの例示的な実施例では、無線機１１４及び／又は１４４は、無線通信信号、ＲＦ信号、フレーム、ブロック、送信ストリーム、パケット、メッセージ、データアイテム及び／又はデータを送信する回路及び／又はロジックを含む１つ以上の無線送信機（Ｔｘ）を含んでもよい。例えば、無線機１１４は送信機１１８を含み、及び／又は無線機１４４は送信機１４８を含んでもよい。
【００３７】
いくつかの例示的な実施形態では、無線機１１４及び／又は１４４は、回路、ロジック、変調要素、復調要素、増幅器、アナログ・デジタル及びデジタル・アナログ変換器、フィルタなどを含むことができる。例えば、無線機１１４及び／又は１４４は、無線ネットワークインタフェースカード（ＮＩＣ）などを含むか、あるいは、その一部として実現されてもよい。
【００３８】
いくつかの例示的な実施例では、無線機１１４及び／又は１４４は、それぞれ１つ以上のアンテナ１０７及び／又は１４７を含むか、あるいは、関連付けされてもよい。
【００３９】
一例では、デバイス１０２は、単一のアンテナ１０７を含んでもよい。別の例では、デバイス１０２は、２つ以上のアンテナ１０７を含んでもよい。
【００４０】
一例では、デバイス１４０は、単一のアンテナ１４７を含んでもよい。別の例では、デバイス１４０は、２つ以上のアンテナ１４７を含んでもよい。
【００４１】
アンテナ１０７及び／又は１４７は、無線通信信号、ブロック、フレーム、送信ストリーム、パケット、メッセージ及び／又はデータを送信及び／又は受信するのに適した何れかのタイプのアンテナを含んでもよい。例えば、アンテナ１０７及び／又は１４７は、１つ以上のアンテナ要素、コンポーネント、ユニット、アセンブリ及び／又はアレイの何れか適した構成、構造及び／又は配置を含んでもよい。アンテナ１０７及び／又は１４７は、例えば、ビームフォーミング技術を利用するなど、指向性通信に適したアンテナを含んでもよい。例えば、アンテナ１０７及び／又は１４７は、位相アレイアンテナ、マルチエレメントアンテナ、スイッチドビームアンテナセットなどを含んでもよい。いくつかの実施例では、アンテナ１０７及び／又は１４７は、別々の送信及び受信アンテナ要素を用いて送信及び受信機能を実現してもよい。いくつかの実施例では、アンテナ１０７及び／又は１４７は、共通及び／又は一体化された送信／受信要素を用いて送信及び受信機能を実現してもよい。
【００４２】
いくつかの例示的な実施例では、アンテナ１０７及び／又は１４７は、指向性アンテナを含んでもよく、指向性アンテナは複数のビーム方向に誘導しうる。
【００４３】
いくつかの例示的な実施例では、デバイス１０２はコントローラ１２４を含み、及び／又はデバイス１４０はコントローラ１５４を含むことができる。コントローラ１２４及び／又は１５４は、１つ以上の通信を実行するように構成されてもよく、１つ以上のメッセージ及び／又は送信を生成及び／又は通信してもよく、及び／又は、例えば、後述されるように、デバイス１０２及び／又は１４０において、及び／又はデバイス１０２及び／又は１４０及び／又は１つ以上の他のデバイスの間において、１つ以上の機能、処理及び／又は手順を実行してもよい。
【００４４】
いくつかの例示的な実施例では、コントローラ１２４及び／又は１５４は、コントローラ１２４及び／又は１５４の機能を実行するようそれぞれ構成された、回路及び／又はロジックを含む１つ以上のプロセッサ、メモリ回路及び／又はロジック、メディアアクセス制御（ＭＡＣ）回路及び／又はロジック、物理レイヤ（ＰＨＹ）回路及び／又はロジック及び／又は他の何れかの回路及び／又はロジックなど、回路及び／又はロジックを含んでもよい。加えて又は代わりに、コントローラ１２４及び／又は１５４の１つ以上の機能は、例えば以下に説明するように、マシーン及び／又は１つ以上のプロセッサによって実行されるロジックによって実現されてもよい。
【００４５】
一例では、コントローラ１２４は、例えば、デバイス１０２などの無線デバイス及び／又はデバイス１０２によって実現される無線ＳＴＡなどの無線局に、ここに説明されるような１つ以上の処理、通信及び／又は機能を実行させる回路及び／又はロジックを含む１つ以上のプロセッサなどの回路及び／又はロジックを含んでもよい。
【００４６】
一例では、コントローラ１５４は、例えば、デバイス１４０などの無線デバイス及び／又はデバイス１４０によって実現される無線ＳＴＡなどの無線局に、ここに説明されるような１つ以上の処理、通信及び／又は機能を実行させる回路及び／又はロジックを含む１つ以上のプロセッサなどの回路及び／又はロジックを含んでもよい。  いくつかの例示的な実施例では、デバイス１０２は、デバイス１０２によって通信される１つ以上のメッセージを生成、処理及び／又はアクセスするよう構成されたメッセージプロセッサ１２８を含んでもよい。
【００４７】
一例では、メッセージプロセッサ１２８は、デバイス１０２によって送信される１つ以上のメッセージを生成するように構成されてもよく、及び／又はメッセージプロセッサ１２８は、例えば、以下に説明するように、デバイス１０２によって受信された１つ以上のメッセージにアクセス及び／又は処理するよう構成されてもよい。一例では、メッセージプロセッサ１２８は、例えば、デバイス１０２によって実現される無線ＳＴＡなどの無線局から１つ以上のメッセージの送信を処理するよう構成されてもよく、及び／又はメッセージプロセッサ１２８は、例えば、デバイス１０２によって実現される無線ＳＴＡなどの無線局による１つ以上のメッセージの受信を処理するよう構成されてもよい。
【００４８】
いくつかの例示的な実施例では、デバイス１４０は、デバイス１４０によって通信される１つ以上のメッセージを生成、処理及び／又はアクセスするよう構成されたメッセージプロセッサ１５８を含んでもよい。
【００４９】
一例では、メッセージプロセッサ１５８は、例えば、以下に説明するように、デバイス１４０によって送信される１つ以上のメッセージを生成するよう構成されてもよく、及び／又はメッセージプロセッサ１５８は、デバイス１４０によって受信された１つ以上のメッセージにアクセス及び／又は処理するよう構成されてもよい。一例では、メッセージプロセッサ１５８は、例えば、デバイス１４０によって実現される無線ＳＴＡなどの無線局からの１つ以上のメッセージの送信を処理するよう構成されてもよく、及び／又はメッセージプロセッサ１５８は、例えば、デバイス１４０によって実現される無線ＳＴＡなどの無線局による１つ以上のメッセージの受信を処理するよう構成されてもよい。
【００５０】
いくつかの例示的な実施例では、メッセージプロセッサ１２８及び／又は１５８は、例えば、メッセージプロセッサ１２８及び／又は１５８の機能を実行するよう構成されるプロセッサ回路、メモリ回路、メディアアクセス制御（ＭＡＣ）回路、物理レイヤ（ＰＨＹ）回路及び／又は他の何れかの回路などの回路を含んでもよい。さらに又は代わりに、メッセージプロセッサ１２８及び／又は１５８の１つ以上の機能は、後述されるように、マシーン及び／又は１つ以上のプロセッサによって実行されてもよいロジックによって実現されてもよい。
【００５１】
いくつかの例示的な実施例では、メッセージプロセッサ１２８の機能の少なくとも一部は、無線機１１４の一部として実現されてもよく、及び／又はメッセージプロセッサ１５８の機能の少なくとも一部は、無線機１４４の一部として実現されてもよい。
【００５２】
いくつかの例示的な実施例では、メッセージプロセッサ１２８の機能の少なくとも一部は、コントローラ１２４の一部として実現されてもよく、及び／又はメッセージプロセッサ１５８の機能の少なくとも一部は、コントローラ１５４の一部として実現されてもよい。
【００５３】
他の実施例では、メッセージプロセッサ１２８の機能は、デバイス１０２の他の何れかの要素の一部として実現されてもよく、及び／又はメッセージプロセッサ１５８の機能は、デバイス１０４の他の何れかの要素の一部として実現されてもよい。
【００５４】
いくつか例示的な実施例では、コントローラ１２４及び／又はメッセージプロセッサ１２８の機能の少なくとも一部は、ＳｏＣ（Ｓｙｓｔｅｍ  ｉｎ  Ｃｈｉｐ）などのチップなどの集積回路によって実現されてもよい。一例では、チップ又はＳｏＣは、無線機１１４の１つ以上の機能を実行するよう構成されてもよい。例えば、チップ又はＳｏＣは、コントローラ１２４の１つ以上の要素、メッセージプロセッサ１２８の１つ以上の要素及び／又は無線機１１４の１つ以上の要素を含んでもよい。一例では、コントローラ１２４、メッセージプロセッサ１２８及び無線機１１４は、チップ又はＳｏＣの一部として実現されてもよい。
【００５５】
他の実施例では、コントローラ１２４、メッセージプロセッサ１２８及び／又は無線機１１４は、デバイス１０２の１つ以上の追加的又は代替的要素によって実現されてもよい。
【００５６】
いくつかの例示的な実施例では、コントローラ１５４及び／又はメッセージプロセッサ１５８の機能の少なくとも一部は、ＳｏＣなどのチップなどの集積回路によって実現されてもよい。一例では、チップ又はＳｏＣは、無線機１４４の１つ以上の機能を実行するよう構成されてもよい。例えば、チップ又はＳｏＣは、コントローラ１５４の１つ以上の要素、メッセージプロセッサ１５８の１つ以上の要素及び／又は無線機１４４の１つ以上の要素を含んでもよい。一例では、コントローラ１５４、メッセージプロセッサ１５８及び無線機１４４は、チップ又はＳｏＣの一部として実現されてもよい。
【００５７】
他の実施例では、コントローラ１５４、メッセージプロセッサ１５８及び／又は無線機１４４は、デバイス１４０の１つ以上の追加的又は代替的要素によって実現されてもよい。
【００５８】
いくつかの例示的な実施例では、デバイス１０２及び／又は１４０は、少なくとも１つの無線局（ＳＴＡ）の機能を実行するよう構成されてもよい。
【００５９】
いくつかの例示的な実施例では、デバイス１０２及び／又は１４０は、例えば、ＡＰ／ＰＣＰ  ＳＴＡ、ＤＭＧ  ＡＰ／ＰＣＰ  ＳＴＡなど、ＤＭＧ  ＡＰなどのアクセスポイント（ＡＰ）及び／又はＤＭＧ  ＰＣＰなどのパーソナルベーシックサービスセット（ＰＢＳＳ）コントロールポイント（ＰＣＰ）の機能を実行するよう構成されてもよい。
【００６０】
いくつかの例示的な実施例では、デバイス１０２及び／又は１４０は、例えば、ＤＭＧ非ＡＰ／ＰＣＰ  ＳＴＡなどの非ＡＰ／ＰＣＰ  ＳＴＡなど、ＤＭＧ非ＡＰ  ＳＴＡなどの非ＡＰ  ＳＴＡ及び／又はＤＭＧ非ＰＣＰ  ＳＴＡなどの非ＰＣＰ  ＳＴＡの機能を実行するよう構成されてもよい。
【００６１】
一例では、ステーション（ＳＴＡ）は、無線媒体（ＷＭ）への媒体アクセス制御（ＭＡＣ）及び物理レイヤ（ＰＨＹ）インタフェースの単独でアドレス指定可能なインスタンスである論理エンティティを含んでもよい。ＳＴＡは、他の何れかの追加的又は代替的機能を実行してもよい。
【００６２】
一例では、ＡＰは、１つのＳＴＡなどのステーション（ＳＴＡ）を含み、関連するＳＴＡのための無線媒体（ＷＭ）を介し配信サービスへのアクセスを提供するエンティティを含んでもよい。ＡＰは、他の何れかの追加的又は代替的機能を実行してもよい。
【００６３】
一例では、パーソナルベーシックサービスセット（ＰＢＳＳ）コントロールポイント（ＰＣＰ）は、例えば、１つのステーション（ＳＴＡ）などのＳＴＡを含み、ＰＢＳＳのメンバーであるＳＴＡによる無線媒体（ＷＭ）へのアクセスを調整するエンティティを含んでもよい。ＰＣＰは、他の何れかの追加的又は代替的機能を実行してもよい。
【００６４】
一例では、ＰＢＳＳは、例えば、１つのＰＢＳＳコントロールポイント（ＰＣＰ）を含む指向性マルチギガビット（ＤＭＧ）ベーシックサービスセット（ＢＳＳ）を含んでもよい。例えば、配信システム（ＤＳ）へのアクセスは存在しないかもしれないが、例えば、ＰＢＳＳ内転送サービスが任意的に存在してもよい。
【００６５】
一例では、ＰＣＰ／ＡＰ  ＳＴＡは、ＰＣＰ又はＡＰの少なくとも１つであるステーション（ＳＴＡ）を含んでもよい。ＰＣＰ／ＡＰ  ＳＴＡは、他の何れかの追加的又は代替的機能を実行してもよい。
【００６６】
一例では、非ＡＰ  ＳＴＡは、ＡＰ内に含まれていないＳＴＡを含んでもよい。非ＡＰ  ＳＴＡは、他の何れかの追加的又は代替的機能を実行してもよい。
【００６７】
一例では、非ＡＰ  ＳＴＡは、ＰＣＰではないＳＴＡを含んでもよい。非ＡＰ  ＳＴＡは、他の何れかの追加的又は代替的機能を実行してもよい。
【００６８】
一例では、非ＰＣＰ／ＡＰ  ＳＴＡは、ＰＣＰではなく、ＡＰではないＳＴＡを含んでもよい。非ＰＣＰ／ＡＰ  ＳＴＡは、他の何れかの追加的又は代替的機能を実行してもよい。
【００６９】
いくつかの例示的な実施例では、システム１００は、ＰＣＰ／ＡＰ  ＳＴＡ及び１つ以上の非ＰＣＰ／非ＡＰ  ＳＴＡを含んでもよい。例えば、デバイス１０２は、ＰＣＰなどのＰＣＰ／ＡＰ  ＳＴＡの機能を実行してもよく、及び／又はデバイス１４０は、非ＰＣＰ／ＡＰ  ＳＴＡの機能を実行してもよい。他の例では、デバイス１４０は、ＰＣＰなどのＰＣＰ／ＡＰ  ＳＴＡの機能を実行してもよく、及び／又はデバイス１２０は、非ＰＣＰ／ＡＰ  ＳＴＡの機能を実行してもよい。
【００７０】
いくつかの例示的な実施例では、システム１００は、２つ以上の非ＰＣＰ／ＡＰ  ＳＴＡを含んでもよい。例えば、デバイス１０２は、第１の非ＰＣＰ／ＡＰ  ＳＴＡの機能を実行してもよく、及び／又はデバイス１４０は、第２の非ＰＣＰ／ＡＰ  ＳＴＡの機能を実行してもよい。
【００７１】
他の実施例では、システム１００は、１つ以上の追加的又は代替的タイプの無線局の他の何れかの組み合わせを含んでもよい。
【００７２】
いくつかの例示的な実施例は、例えば、ＤＭＧネットワークにおける１つ以上のステーションの電力管理を実行するよう実現されてもよい。一例では、いくつかの例示的な実施例は、例えば、ＰＣＰ／ＡＰ  ＳＴＡ及び／又は非ＰＣＰ／ＡＰ  ＳＴＡなどのＳＴＡにおいける電力セービングを有効にするよう実現されてもよい。
【００７３】
いくつかの例示的な実施例では、例えば、デバイス１０２によって実現されるＳＴＡ及び／又はデバイス１４０によって実現されるＳＴＡなどのＳＴＡは、増加されると、例えば、フル機能が提供されうるアクティブモード又は状態で動作するよう構成されてもよく、限定されるなど減少されると、例えば、かなり限定された機能が提供されうるパワーセーブ（ＰＳ）モード又は状態で動作するよう構成されてもよい。
【００７４】
例えば、パワーセーブモードでは、ＳＴＡは、例えば、無線通信信号の受信、処理、復号化及び／又は処理のため、スリープモード、電力低減モード、スタンバイモード及び／又はアクティブモードにおいてＳＴＡの処理に必要とされるものより小さな電力しか消費しない他の何れかの動作モードで動作してもよい。
【００７５】
いくつかの例示的な実施例では、例えば、デバイス１０２によって実現されるＳＴＡ及び／又はデバイス１４０によって実現されるＳＴＡは、例えば、ＳＴＡによって送信される１つ以上のフレームに、ＤＭＧ  ＷＳＥなどのウェイクアップスケジュールエレメント（ＷＳＥ）を含めることによって、ＳＴＡのＰＳモードを通知してもよい。
【００７６】
いくつかの例示的な実施例では、ＳＴＡは、ＰＣＰ  ＳＴＡの機能を実行してもよい。これらの実施例によると、ＳＴＡは、例えば、１つ以上のＤＭＧビーコン及び／又はＤＭＧアナウンスフレームなど、ＰＣＰによって送信される１つ以上のビーコン及び／又はアナウンスフレームにＷＳＥを含めてもよい。
【００７７】
一例では、デバイス１０２は、ＰＣＰ  ＳＴＡの機能を実行してもよい。本例によると、デバイス１０２は、後述されるように、ＰＣＰ  ＳＴＡのＰＣＰ  ＰＳ（ＰＰＳ）モードに対応する１つ以上のパラメータを通知するため、ＷＳＥを含むＤＭＧビーコンなどの１つ以上のビーコンを送信してもよい。
【００７８】
いくつかの例示的な実施例では、ＳＴＡは、非ＰＣＰ  ＳＴＡの機能を実行してもよい。これらの実施例によると、ＳＴＡは、ＳＴＡから送信される１つ以上のフレームにＷＳＥを含めてもよい。
【００７９】
例えば、非ＰＣＰ  ＳＴＡは、ＰＣＰ  ＳＴＡに送信される１つ以上のフレームにＷＳＥを含めてもよい。
【００８０】
一例では、非ＰＣＰ  ＳＴＡは、例えば、ＰＣＰ  ＳＴＡに送信されるパワーセーブコンフィギュレーションリクエストフレーム及び／又は他の何れかのフレームなどパワーセーブコンフィギュレーションフレームなどにＷＳＥ要素を含めてもよい。
【００８１】
一例では、デバイス１０２は、非ＰＣＰ  ＳＴＡの機能を実行してもよい。本例によると、デバイス１０２は、後述されるように、非ＰＣＰ  ＳＴＡのＰＳモードに対応する１つ以上のパラメータを通知するため、ＷＳＥを含むＤＭＧパワーセーブコンフィギュレーションリクエストフレームなどの１つ以上のフレームを送信してもよい。
【００８２】
いくつかの例示的な実施例では、ＷＳＥは、後述されるように、ビーコンインターバル（ＢＩ）スタートタイムフィールド、スリープサイクルフィールド及びアウェイク／ドーズＢＩ数フィールドを含んでもよい。
【００８３】
他の実施例では、ＷＳＥは、他の何れかの追加的又は代替的フィールド及び／又はサブフィールドを含んでもよい。
【００８４】
いくつかの例示的な実施例では、ＢＩスタートタイムフィールドは、後述されるように、ＢＩスタートタイムフィールド値（“ＢＩスタートタイムフィールド値”）を含んでもよい。
【００８５】
いくつかの例示的な実施例では、ＢＩスタートタイムフィールドは、３２ビットを含むなど、４オクテットのサイズ（“ビーコンインターバルスタートタイムレンジ”）を有してもよい。他の実施例では、ＢＩスタートタイムフィールドは、例えば、１６ビットなどの３２ビット未満を含むか、あるいは、６４ビットなどの３２ビット以上を含むか、あるいは、他の何れかのビット数を含む他の何れかのサイズを有してもよい。
【００８６】
いくつかの例示的な実施例では、デバイス１０２によって実現されるＳＴＡ及び／又はデバイス１４０によって実現されるＳＴＡは、後述されるように、ＳＴＡがパワーセーブモードに移動しうる時間を表すため、ＷＳＥにおいてビーコンインターバルスタートタイム値を設定するよう構成されてもよい。
【００８７】
いくつかの例示的な実施例では、スリープサイクルフィールドは、パワーセーブモード中のビーコンインターバル（ＢＩ）のモードを表すものであってもよい。例えば、ＳＴＡは、後述されるように、パワーセーブモードでの動作時など、アウェイクＢＩ（アウェイクＢＩモード）とドーズＢＩ（ドーズＢＩモード）との間でスイッチしてもよい。
【００８８】
いくつかの例示的な実施例では、デバイス１０２により実現されるＳＴＡなどのＷＳＥを生成するＳＴＡ（“ＷＳＥ発信元ＳＴＡ”）は、例えば、ＢＩモードに依存して、異なる機能を実行し、及び／又は異なるサービスを提供するよう構成されてもよい。
【００８９】
いくつかの例示的な実施例では、受信したＷＳＥ（“ＷＳＥ受信ＳＴＡ”）を処理するデバイス１４０により実現されるＳＴＡなどの何れかのステーションなどのステーションは、ＷＳＥ発信元ＳＴＡが動作するＢＩのモードを特定し、これに従って動作することが可能であってもよい。
【００９０】
いくつかの例示的な実施例では、ＷＳＥ受信ＳＴＡは、ＷＳＥを含むフレームの６４ビットフィールド及び／又はＷＳＥのフィールドの１つ以上などのタイムスタンプを含む情報に基づき、ＢＩのモードを特定してもよい。
【００９１】
いくつかの例示的な実施例では、ＷＳＥは、デバイス１０２により実現されるＰＣＰ  ＳＴＡなどのＰＣＰ  ＳＴＡにより生成及び送信されてもよい。例えば、ＰＣＰ  ＳＴＡは、増加されると、フル機能が提供されるアクティブモードと、減少されると、大変限定的な機能しか提供されないＰＣＰパワーセーブ（ＰＰＳ）モードで動作するよう構成されてもよい。
【００９２】
いくつかの例示的な実施例では、ＰＣＰ  ＳＴＡは、例えば、ＤＭＧビーコンにＷＳＥを含めることによって、ＰＰＳモードを通知してもよい。
【００９３】
いくつかの例示的な実施例では、ＰＣＰ  ＳＴＡは、例えば、タイミングシンクロナイゼーションファンクション（ＴＳＦ）タイマの下位の４オクテットを通知するよう構成されうるビーコンインターバルスタートタイム値を含むように、ビーコンインターバルスタートタイムフィールドを設定してもよい。例えば、ＰＣＰ  ＳＴＡは、ＰＣＰ  ＳＴＡがパワーセーブモードに移動しうる時間を表すようＢＩスタートタイム値を設定してもよい。
【００９４】
いくつかの例示的な実施例では、スリープサイクルフィールドは、パワーセーブモード中にＢＩのモードを表してもよい。例えば、ＰＣＰ  ＳＴＡは、ＰＰＳモードでの動作時など、アウェイクＢＩ（アウェイクＢＩモード）とドーズＢＩ（ドーズＢＩモード）との間でスイッチしてもよい。ＰＣＰ  ＳＴＡは、例えば、ＢＩモードに依存して異なるサービスを提供してもよい。
【００９５】
いくつかの例示的な実施例では、ＰＣＰ  ＳＴＡからのＤＭＧビーコンからのＷＳＥを処理するデバイス１４０により実現されるＳＴＡなどの何れかのステーションなどのステーションは、ＰＣＰ  ＳＴＡが動作するＢＩのモードを特定し、これに従って動作することが可能であってもよい。
【００９６】
いくつかの例示的な実施例では、ステーションは、例えば、ＤＭＧビーコンの６４ビットフィールド及び／又はＰＣＰ  ＳＴＡからのＤＭＧビーコンによって配信されるＷＳＥのフィールドの１つ以上などのタイムスタンプを含む情報に基づき、ＢＩのモードを特定してもよい。
【００９７】
いくつかの例示的な実施例では、デバイス１０２により実現されるＳＴＡなどのＷＳＥ発信元ＳＴＡがＰＳモードに留まりうる時間の長さは、後述されるように、例えば、ＷＳＥが更新されない場合、限定されてもよい。
【００９８】
いくつかの例示的な実施例では、デバイス１０２により実現されるＰＣＰ  ＳＴＡなどのＷＳＥを発信するＰＣＰ  ＳＴＡがＰＳモードに留まりうる時間の長さは、例えば、ＷＳＥが更新されない場合、限定されてもよい。
【００９９】
いくつかの例示的な実施例では、ＷＳＥを発信するＰＣＰ  ＳＴＡがＰＳモードに留まりうる時間の長さは、後述されるように、例えば、ＢＩスタートタイムフィールドが更新されない場合、ＢＩスタートタイムフィールドのレンジの１／２に限定されてもよい。
【０１００】
いくつかの例示的な実施例では、ＢＩスタートタイムレンジは、例えば、ＢＩスタートタイムフィールドが４オクテットを含む場合、３２ビットなどであってもよい。
【０１０１】
いくつかの例示的な実施例では、ＷＳＥ発信元ＳＴＡがＰＳモードに留まりうる時間の長さは、後述されるように、例えば、ＢＩスタートタイムフィールドが４オクテットを含む場合であって、例えば、ＢＩスタートタイムフィールドが更新されない場合、２３１−１ミリ秒より長くには限定されない。
【０１０２】
いくつかの例示的な実施例によるＢＩスタートタイムフィールドが更新されないときのＳＴＡのパワーセーブモードの通知を示す図２が参照される。
【０１０３】
簡単化のため、図２に関する以下の説明は、１６ビットのＢＩスタートタイムレンジを有するＢＩスタートタイムフィールドに関する。この値は、例示的な目的に利用されている。しかしながら、ＢＩスタートタイムフィールドは、例えば、上述されるように、３２ビットのレンジ及び／又は他の何れかのより広い又はより狭いレンジを有してもよい。
【０１０４】
図２に示されるように、ＳＴＡは、例えば、“１”により示される第１の時点などにおいて、ビーコン又はパワーセーブコンフィギュレーションリクエストフレームなどのフレームにＷＳＥを挿入してもよい。図２に示されるように、ＷＳＥは、１６進数形式で（０ｘ１０）に設定されたＢＩスタートタイムフィールドを含んでもよい。
【０１０５】
図２に示されるように、１６進数形式のＢＩスタートタイムフィールド値（０ｘ１０）における値とターゲットビーコン送信タイム（ＴＢＴＴ）の下位１６ビットとの間の差分の絶対値などの差分が、例えば、１６進数形式の（０ｘ８０）などの２８などのビーコンスタートタイムレンジの１／２と比較されてもよい。
【０１０６】
図２に示されるように、１６進数形式のＢＩスタートタイムフィールド値（０ｘ１０）の値と、“２”により示される第２の時点と“３”により示される第３の時点とにおけるＴＢＴＴの下位１６ビットとの間の絶対値の差分などの差分は、例えば、１６進数形式のＢＩスタートタイムフィールド値（０ｘ１０）と時点２及び３におけるＴＢＴＴの下位１６ビットとの間の差分がＢＩスタートタイムレンジの１／２未満であるため、ＳＴＡがアクティブモードであることを示すものであってもよい。
【０１０７】
図２に示されるように、“４”により示される時点における１６進数形式においてＴＢＴＴ＝２１０に続くビーコンインターバル（ＢＩ）では、１６進数形式におけるＢＩスタートタイムフィールド値（０ｘ１０）と時点４におけるＴＢＴＴの下位１６ビットとの間の絶対的な差分などの差分は、例えば、１６進数形式におけるＢＩスタートタイムフィールド値（０ｘ１０）と時点４におけるＴＢＴＴの下位１６ビットとの間の差分がＢＩスタートタイムレンジの１／２の等しいため、ＳＴＡがＰＳモードをまさに開始していることを示すものであってもよい。
【０１０８】
図２に示されるように、１６進数形式におけるＢＩスタートタイムフィールド値（０ｘ１０）と“５”、“６”、“７”及び“８”により示される以降の時点におけるＴＢＴＴの下位１６ビットとの間の絶対的な差分などの差分は、例えば、１６進数形式におけるＢＩスタートタイムフィールド値と時点５、６、７及び８におけるＴＢＴＴの下位１６ビットとの間の差分がＢＩスタートタイムレンジの１／２以上であるため、ＳＴＡがＰＳモードにあることを正しく示すものであってもよい。
【０１０９】
しかしながら、図２に示されるように、１６進数形式におけるＢＩスタートタイムフィールド値（０ｘ１０）と“９”により示される時点におけるＴＢＴＴの下位１６ビットとの間の絶対的な差分は、ＳＴＡが時点９においてＰＳモードにあることを実際に選択しうる間、ＳＴＡが“スタート前”のアクティブモードにあることを誤って示す可能性がある。
【０１１０】
従って、他のＳＴＡによるＳＴＡのＰＳモードの誤った特定を解消するため、ＳＴＡは、例えば、ＢＩスタートタイムフィールドが３２ビットのレンジを有する場合、ＷＳＥが発行され、（２３１−１）をプラスし、ＢＩスタートタイムをマイナスするＴＢＴＴに等しい時間より長くＰＳモードに留まることは許されないようにしてもよい。従って、ＳＴＡがＰＳモードに留まることが許される最大持続時間は、例えば、ＢＩスタートタイムフィールドが３２ビットのレンジを有する場合、２３１−１ミリ秒より長くなくてもよい。
【０１１１】
図１を再び参照して、いくつかの例示的な実施例では、デバイス１０２により実現されるＳＴＡ及び／又はデバイス１４０により実現されるＳＴＡなどのＳＴＡは、例えば、後述されるように、ＢＩスタートタイムフィールドのレンジの１／２に対応する期間より長い期間においてＰＳモードに留まることを選択可能となるよう構成されてもよい。
【０１１２】
いくつかの例示的な実施例では、デバイス１０２により実現されるＳＴＡ及び／又はデバイス１４０により実現されるＳＴＡなどのＳＴＡは、例えば、後述されるように、ＢＩスタートタイムフィールドが３２ビットのレンジを有する場合、２３１−１ミリ秒よりさらに長い期間においてＰＳモードに留まることを選択可能であるよう構成されてもよい。
【０１１３】
いくつかの例示的な実施例では、デバイス１０２により実現されるＳＴＡ及び／又はデバイス１４０により実現されるＳＴＡなどのＳＴＡは、例えば、ＷＳＥにより通知されるように、スリープサイクルの実際のＢＩスタートタイム値を置換又は更新するよう構成されてもよい。
【０１１４】
いくつかの例示的な実施例では、デバイス１０２により実現されるＳＴＡ及び／又はデバイス１４０により実現されるＳＴＡなどのＳＴＡは、例えば、後述されるように、ＢＩスタートタイムフィールドの全範囲の１／２に対応する持続時間を有する期間後でさえ、ＳＴＡがＰＳモードにあることを通知するよう構成されうる新規又は更新された値によってスリープサイクルのＢＩスタートタイムフィールド値を置換又は更新するよう構成されてもよい。
【０１１５】
いくつかの例示的な実施例では、デバイス１０２により実現されるＳＴＡ及び／又はデバイス１４０により実現されるＳＴＡなどのＳＴＡは、例えば、後述されるように、スリープサイクル内の時間などにおいて、スリープサイクルのＢＩスタートタイムフィールド値を置換又は更新するよう構成されてもよい。
【０１１６】
いくつかの例示的な実施例では、ＰＳモードでの動作時、デバイス１０２により実現されるＳＴＡ及び／又はデバイス１４０により実現されるＳＴＡなどのＳＴＡは、例えば、後述されるように、スリープサイクルの実際のＢＩスタートタイムをプラスしたＢＩスタートタームフィールドの全範囲の１／２未満などである時間において、スリープサイクルのＢＩスタートタイムフィールド値を更新するよう構成されてもよい。
【０１１７】
いくつかの例示的な実施例では、デバイス１０２により実現されるＳＴＡ及び／又はデバイス１４０により実現されるＳＴＡなどのＳＴＡは、例えば、後述されるように、スリープサイクルのスタートタイムにおけるＢＩなど、ＢＩのＴＢＴＴの下位３２ビットなどのＴＢＴＴに基づくものであってもよい新たな値にスリープサイクルのＢＩスタートタイムフィールド値を更新することによって、ＰＳモードを拡張するよう構成されてもよい。
【０１１８】
いくつかの例示的な実施例では、デバイス１０２により実現されるＳＴＡ及び／又はデバイス１４０により実現されるＳＴＡなどのＳＴＡは、例えば、スリープサイクルのスタートタイムにおけるＢＩのＴＢＴＴの下位４オクテットに基づく値にＢＩスタートタイムフィールド値を更新することによってＰＳモードを拡張するよう構成されてもよい。
【０１１９】
いくつかの例示的な実施例では、デバイス１０２により実現されるＳＴＡ及び／又はデバイス１４０により実現されるＳＴＡなどのＳＴＡは、例えば、現在のスリープサイクルのスタートタイムにおけるＢＩのＴＢＴＴの下位４オクテットに基づく値にＢＩスタートタイムフィールド値を更新することによって、ＰＳモードを拡張するよう構成されてもよい。
【０１２０】
いくつかの例示的な実施例では、デバイス１０２により実現されるＳＴＡ及び／又はデバイス１４０により実現されるＳＴＡなどのＳＴＡは、例えば、１回以上新たな及び／又は更新されたＢＩスタートタイム値によってスリープサイクルのＢＩスタートタイムフィールド値の置換を繰り返すことによって、ＰＳモードの持続期間を繰り返し拡張するよう構成されてもよい。
【０１２１】
いくつかの例示的な実施例では、デバイス１０２により実現されるＳＴＡ及び／又はデバイス１４０により実現されるＳＴＡなどのＳＴＡがＰＳモードの持続期間を延長することを可能にすることは、例えば、無制限の時間などの長時間にＳＴＡがＰＳモードを延長することを可能にすることであってもよい。
【０１２２】
いくつかの例示的な実施例では、デバイス１０２により実現されるＳＴＡ及び／又はデバイス１４０により実現されるＳＴＡなどのＳＴＡがＰＳモードの持続期間を延長することを可能にすることは、例えば、応答性を増加させながら、ＳＴＡのバッテリ寿命を延長するため、ＳＴＡにおける低電力を維持することによってユーザ体感を向上させるものであってもよい。
【０１２３】
いくつかの例示的な実施例では、コントローラ１２４は、デバイス１０２により実現される無線局にＰＣＰ／ＡＰ  ＳＴＡ又は非ＰＣＰ／ＡＰ  ＳＴＡなどのＳＴＡの機能を実行させ、ＳＴＡのＰＳモードを通知するため、ＷＳＥを含む１つ以上のフレームを生成及び送信させるよう構成されてもよい。
【０１２４】
いくつかの例示的な実施例では、無線機１４４は、デバイス１０２のＰＳモードを示すＷＳＥを含む１つ以上のフレームを受信してもよい。コントローラ１５４は、ＷＳＥを処理し、ＷＳＥのコンテンツに従って１つ以上の処理を実行してもよい。例えば、コントローラ１５４は、ＷＳＥにより示されるように、デバイス１０２のＰＳモードに従ってデバイス１４０による通信を制御してもよい。
【０１２５】
いくつかの例示的な実施例では、コントローラ１２４は、例えば、デバイス１０２により実現される無線局にＢＩスタートタイムフィールドなどに第１のＢＩスタートタイムフィールド値を含む第１のＷＳＥを含む第１のフレームを送信させるよう構成されてもよい。
【０１２６】
いくつかの例示的な実施例では、コントローラ１２４は、デバイス１０２により実現される無線局に、第１の無線局がＰＳモードに移行する前に、第１のフレームを送信させるよう構成されてもよい。
【０１２７】
いくつかの例示的な実施例では、第１のＢＩスタートタイムフィールド値は、無線局がＰＳモードに移行するスタートタイムを示すよう設定された値を含んでもよい。
【０１２８】
いくつかの例示的な実施例では、第１のＢＩスタートタイムフィールド値は、例えば、第１のフレームが移行されるＢＩのターゲットビーコン送信時間（ＴＢＴＴ）などに基づくものであってもよい。
【０１２９】
いくつかの例示的な実施例では、第１のＢＩスタートタイムフィールド値は、ＢＩスタートタイムフィールドにおけるビット数に対応するＴＢＴＴのビット数などに基づくものであってもよい。
【０１３０】
ＢＩスタートタイムフィールドはｎビットのサイズを有する場合、第１のフレームが送信されるＢＩのＴＢＴＴの下位ｎ／８オクテットに基づくものであってよい。
【０１３１】
いくつかの例示的な実施例では、第１のＢＩスタートタイムフィールド値は、例えば、ＢＩスタートタイムフィールドが４オクテットのサイズを有する場合、第１のフレームが送信されるＢＩのＴＢＴＴの下位４オクテットに基づくものであってもよい。
【０１３２】
いくつかの例示的な実施例では、第１のＢＩスタートタイムフィールド値は、例えば、２（ｎ−１）−１未満の値など、ＢＩスタートタイムフィールドレンジ内にある値とＴＢＴＴの下位ｎ／８オクテットに基づくものであってもよい。
【０１３３】
いくつかの例示的な実施例では、第１のＢＩスタートタイムフィールド値は、例えば、ＢＩスタートタイムフィールドが３２ビットを含む場合、２３１−１未満の値とＷＳＥが発行されるＴＢＴＴとに基づく決定されうるＴＢＴＴの下位４バイトを示すよう設定されてもよい。
【０１３４】
いくつかの例示的な実施例では、コントローラ１２４は、デバイス１０２により実現される無線局に第１のＢＩスタートタイムフィールド値に基づきＰＳモードにスイッチさせるよう構成されてもよい。
【０１３５】
いくつかの例示的な実施例では、コントローラ１２４は、例えば、デバイス１０２により実現される無線局に、ＢＩスタートタイムフィールド値に等しい下位４バイトを有するＴＢＴＴにおいてＰＳモードにスイッチさせるよう構成されてもよい。
【０１３６】
いくつかの例示的な実施例では、コントローラ１２４は、デバイス１０２により実現される無線局に、当該無線局がＰＳモードにより動作中、第２のＷＳＥを含む第２のフレームをＰＳ中に送信させるよう構成されてもよい。
【０１３７】
いくつかの例示的な実施例では、第２のＷＳＥは、第１のＢＩスタートタイムフィールド値と異なる第２のＢＩスタートタイムフィールド値を含むものであってもよい。
【０１３８】
いくつかの例示的な実施例では、第２のＢＩスタートタイムフィールド値は、例えば、後述されるように、ＰＳモードの持続時間を延長するよう構成されてもよい。
【０１３９】
いくつかの例示的な実施例では、コントローラ１２４は、デバイス１０２により実現される無線局に、例えば、第１のＢＩスタートタイムフィールド値により示されるＰＳモードの持続時間より長くＰＳモードを延長するため、第２のＢＩスタートタイムフィールド値を有する第２のＷＳＥを含む第２のフレームを送信させるよう構成されてもよい。
【０１４０】
いくつかの例示的な実施例では、コントローラ１２４は、デバイス１０２により実現される無線局に、例えば、無線局がＰＳモードにあって、２（ｎ−１）−１までの追加的な期間についてＰＳモードを延長するため、第１のＢＩスタートタイムフィールド値により示されるＰＳモードの持続時間より長い期間についてＰＳモードに留まるとき、第２のＢＩスタートタイムフィールド値を有する第２のＷＳＥを含む第２のフレームを送信させるよう構成されてもよい。
【０１４１】
いくつかの例示的な実施例では、コントローラ１２４は、デバイス１０２により実現される無線局に、例えば、ＢＩスタートタイムフィールドのレンジが３２ビットである場合、無線局が２３１−１ミリ秒より長い第１のＢＩスタートタイムフィールド値により示されるＰＳモードの持続時間より長い期間においてＰＳモードに留まるとき、第２のＢＩスタートタイムフィールド値を有する第２のＷＳＥを含む第２のフレームを送信させるよう構成されてもよい。
【０１４２】
いくつかの例示的な実施例では、コントローラ１２４は、例えば、後述されるように、デバイス１０２により実現される無線局に、スリープサイクルのスタート時間におけるＢＩのＴＢＴＴに基づき、無線局がＰＳモードで動作している間、第２のＢＩスタートタイムフィールド値を設定させるよう構成されてもよい。
【０１４３】
いくつかの例示的な実施例では、コントローラ１２４は、例えば、デバイス１０２により実現される無線局に、ＢＩスタートタイムフィールドがｎビットを含む場合、スリープサイクルのスタート時間におけるＢＩのＴＢＴＴの下位ｎ／８オクテットに基づき、第２のＢＩスタートタイムフィールド値を設定させるよう構成されてもよい。
【０１４４】
いくつかの例示的な実施例では、コントローラ１２４は、例えば、デバイス１０２により実現される無線局に、ＢＩスタートタイムフィールドが３２ビットを含む場合、スリープサイクルのスタート時間におけるＢＩのＴＢＴＴの下位４オクテットに基づき第２のＢＩスタートタイムフィールド値を設定させるよう構成されてもよい。
【０１４５】
いくつかの例示的な実施例では、コントローラ１２４は、例えば、ＰＳ動作モードで動作中のデバイス１０２により実現される無線局に、現在のスリープサイクル又は何れか以前のスリープサイクルのスタート時において第２のＢＩスタートタイムフィールド値を設定させるよう構成されてもよい。
【０１４６】
いくつかの例示的な実施例では、コントローラ１２４は、例えば、ＰＳモードで動作中のデバイス１０２により実現される無線局に、現在のスリープサイクルのスタート時におけるＢＩのＴＢＴＴの下位４オクテットに基づき第２のＢＩスタートタイムフィールド値を設定させるよう構成されてもよい。
【０１４７】
いくつかの例示的な実施例では、コントローラ１２４は、例えば、ＰＳモードで動作中のデバイス１０２により実現される無線局に、デバイス１０２により実現される無線局がＰＳモードで依然としてある以降のスリープサイクルのスタート時において第２のＢＩスタートタイムフィールド値を設定させるよう構成されてもよい。
【０１４８】
いくつかの例示的な実施例では、コントローラ１２４は、例えば、デバイス１０２により実現される無線局に、第２のＢＩスタートフィールド値などの更新されたＢＩスタートフィールドを含む第２のＷＳＥなどのＷＳＥを含む第２のフレームなどのフレームを送信することによって、ＢＩスタートフィールドの値を置換及び／又は更新させるよう構成されてもよい。
【０１４９】
いくつかの例示的な実施例では、ＢＩスタートフィールドの値を更新することは、スリープサイクルの始めに起こる。
【０１５０】
いくつかの例示的な実施例では、例えば、ＰＳモードでの動作中、ＢＩスタートフィールドの値を更新することは、ＢＩスタートタイムの直近に更新された値からＢＩスタートタイムフィールドのレンジの１／２内で１回以上行われてもよい。
【０１５１】
いくつかの例示的な実施例では、コントローラ１２４は、例えば、デバイス１０２により実現される無線局に、スリープサイクルの始めにＢＩスタートフィールドの値を更新させるよう構成されてもよい。
【０１５２】
いくつかの例示的な実施例では、コントローラ１２４は、例えば、デバイス１０２により実現される無線局に、ＢＩスタートタイム値の直近の更新からのＢＩスタートタイムフィールドのレンジの１／２内で複数回などの１回以上ＰＳモードにおいて依然として動作している間にＢＩスタートフィールドの値の更新を繰り返させるよう構成されてもよい。
【０１５３】
いくつかの例示的な実施例では、コントローラ１２４は、デバイス１０２により実現される無線局に、ＰＣＰ  ＳＴＡの機能を実行させるよう構成されてもよい。
【０１５４】
いくつかの例示的な実施例では、コントローラ１２４は、例えば、ＰＣＰ  ＳＴＡにＰＰＳモードへの移行前に、第１のＷＳＥを含む第１のＤＭＧビーコンフレームなどの第１のビーコンフレームを送信させるよう構成されてもよい。
【０１５５】
いくつかの例示的な実施例では、コントローラ１２４は、例えば、後述されるように、ＰＣＰ  ＳＴＡに第１のＷＳＥにおけるＢＩスタートタイムフィールドの値に基づき、ＰＳＳモードに移行させるよう構成されてもよい。
【０１５６】
いくつかの例示的な実施例では、ＰＰＳモードに入るため、コントローラ１２４は、例えば、後述されるように、ＰＣＰ  ＳＴＡにスリープサイクルの第１のＰＣＰアウェイクＢＩのスタートと、第１のＷＳＥなどのＤＭＧ  ＷＳＥを介しウェイクアップスケジュールの連続するＰＣＰアウェイクＢＩの数とを通知させるよう構成されてもよい。
【０１５７】
いくつかの例示的な実施例では、コントローラ１２４は、ＰＣＰ  ＳＴＡにＤＭＧビーコン及び／又はアナウンスフレームにＷＳＥを含めさせるよう構成されてもよい。
【０１５８】
いくつかの例示的な実施例では、コントローラ１２４は、例えば、ＰＣＰ  ＳＴＡがＢＩスタートタイム値の直近の更新から２３１−１より長いＢＩスタートタイムフィールドのレンジの１／２に対応する持続時間より長くＰＰＳモードに留まる場合、第２のＷＳＥを含む第２のＤＭＧビーコンフレームなどの第２のビーコンフレームをＰＰＳモード中に送信させるよう構成されてもよい。
【０１５９】
いくつかの例示的な実施例では、スリープサイクルの第１のＰＣＰアウェイクＢＩは、通知されたＤＭＧウェイクアップスケジュール要素のＢＩスタートタイムフィールドの値により指定された時点でスタートしてもよい。
【０１６０】
いくつかの例示的な実施例では、連続するＰＣＰアウェイクＢＩ及びＰＣＰドーズＢＩの数は、例えば、アウェイクＢＩ数フィールド及びＤＭＧウェイクアップスケジュール要素のスリープサイクルフィールドによって指定されてもよい。
【０１６１】
いくつかの例示的な実施例では、ＰＰＳモードにおいて、ＰＣＰ  ＳＴＡは、例えば、ＰＣＰ  ＳＴＡにより通知されたウェイクアップスケジュール要素に続いて、アウェイクＢＩとドーズＢＩとの間で移行してもよい。
【０１６２】
いくつかの例示的な実施例では、コントローラ１２４は、デバイス１０２により実現される無線局に非ＰＣＰ／ＡＰ  ＳＴＡの機能を実行させるよう構成されてもよい。
【０１６３】
いくつかの例示的な実施例では、コントローラ１２４は、例えば、非ＰＣＰ／ＡＰ  ＳＴＡにＰＳモードへの移行前に第１のＷＳＥを含む第１のＤＭＧパワーセーブコンフィギュレーションリクエストフレームなどの第１のフレームを送信させるよう構成されてもよい。
【０１６４】
いくつかの例示的な実施例では、コントローラ１２４は、例えば、後述されるように、非ＰＣＰ／ＡＰ  ＳＴＡに第１のＷＳＥにおけるＢＩスタートタイムフィールドの値に基づきＰＳモードに移行させるよう構成されてもよい。
【０１６５】
いくつかの例示的な実施例では、コントローラ１２４は、例えば、非ＰＣＰ／ＡＰ  ＳＴＡがＢＩスタートタイム値の直近の更新から２３１−１ミリ秒より長いＢＩスタートタイムフィールドのレンジの１／２に対応する持続時間より長くＰＳモードに留まる場合、非ＰＣＰ／ＡＰ  ＳＴＡに第２のＷＳＥを含む第２のＤＭＧパワーセーブコンフィギュレーションリクエストフレームなどの第２のフレームをＰＳモード中に送信させるよう構成されてもよい。
【０１６６】
いくつかの例示的な実施例では、コントローラ１２４は、例えば、後述されるように、デバイス１０２により実現されるＳＴＡに、ＳＴＡがＰＳモードにいるか否かに基づき、ＷＳＥのＢＩスタートタイムフィールドを計算及び／又は設定させてもよい。
【０１６７】
いくつかの例示的な実施例では、コントローラ１２４は、例えば、ＢＩスタートタイムフィールドがｎビットを含む場合、ＳＴＡがＰＳモードに移行する際、２（ｎ−１）−１ミリ秒未満である値と現在のＢＩのＴＢＴＴの下位ｎ／８オクテットに基づき、ＢＩスタートタイムフィールドをＳＴＡに設定させてもよい。
【０１６８】
一例では、ＳＴＡがＰＳモードに移行している場合、後述されるように、ＢＩスタートタイムフィールドは、２３１−１ミリ秒未満の値と現在のビーコンインターバルのＴＢＴＴの下位４オクテットに基づき設定される。
【０１６９】
いくつかの例示的な実施例では、コントローラ１２４は、例えば、ＢＩスタートタイムフィールドがｎビットを含む場合、ＢＩスタートタイム値の直近の更新から現在又は以前のスリープサイクルのスタートのＴＢＴＴ値の下位ｎ／８オクテットにＢＩスタートタイムフィールドをＳＴＡに設定させてもよい。
【０１７０】
一例では、ＳＴＡがＰＳモードにあって、ＢＩスタートタイム値の直近の更新から２３１−１ミリ秒より長くＰＳモードに留まることを意図する場合、ＢＩスタートタイムフィールドは、現在又は以前のスリープサイクルのスタートのＴＢＴＴ値の下位４オクテットに設定される。
【０１７１】
いくつかの例示的な実施例では、コントローラ１２４は、例えば、現在のスリープサイクルのスタート時におけるＢＩのＴＢＴＴの下位ｎ／８オクテットに基づき、ＳＴＡがＰＳモードにいるとき、ＢＩスタートタイムフィールドをＳＴＡに設定させてもよい。
【０１７２】
一例では、コントローラ１２４は、例えば、現在のスリープサイクルのスタート時におけるＢＩのＴＢＴＴの下位４オクテットに基づき、ＳＴＡがＰＳモードにあるとき、ＢＩスタートタイムフィールドをＳＴＡに設定させてもよい。
【０１７３】
いくつかの例示的な実施例では、コントローラ１２４は、例えば、ＢＩスタートタイムフィールドがｎビットを含む場合、ビーコンインターバル持続時間と乗算される現在のスリープサイクルの整数倍であってもよく、２（ｎ−１）−１ミリ秒未満であってもよい値と、次のスリープサイクルの第１のアウェイクＢＩのＴＢＴＴの下位ｎ／８オクテットとの和に基づき、ＳＴＡに現在のスリープサイクル中にＢＩスタートタイムフィールドを設定させてもよい。一例では、ＢＩスタートタイムフィールドにより示されるＴＢＴＴは、２（ｎ−１）−１ミリ秒をプラスした現在のＢＩスタートタイムのＴＢＴＴを延長しない。
【０１７４】
一例では、例えば、ＳＴＡがＰＳモードにあって、新たなスリープサイクルにそれの現在のスリープサイクルを変更することを意図する場合、新たなスリープサイクルのＢＩスタートタイムフィールドは、ビーコンインターバル持続時間と乗算される現在のスリープサイクルの整数倍であって、２３１−１ミリ秒未満である値をプラスした次のスリープサイクルの第１のアウェイクＢＩのＴＢＴＴの下位４オクテットに等しくなるよう設定される。例えば、ＢＩスタートタイムフィールドにより示されるＴＢＴＴは、２３１−１ミリ秒をプラスした現在のＢＩスタートタイムのＴＢＴＴを延長しない。
【０１７５】
いくつかの例示的な実施例では、コントローラ１２４は、例えば、ビーコンインターバルに関してスリープサイクルの持続時間を示すよう、ＳＴＡにＷＳＥにおいてスリープサイクルフィールドを設定させてもよい。
【０１７６】
いくつかの例示的な実施例では、スリープサイクルフィールドは、スリープサイクルを構成するアウェイクＢＩとドーズＢＩとの和など、ビーコンインターバルにおいてスリープサイクル持続時間を示してもよい。
【０１７７】
いくつかの例示的な実施例では、コントローラ１２４は、例えば、ＢＩの長さによるスリープサイクルフィールドの値の乗算の結果がＢＩスタートタイムフィールドのレンジの１／２より短く維持されるように、ＳＴＡにＷＳＥにおいてスリープサイクルフィールドを設定させてもよい。
【０１７８】
例えば、いくつかの例示的な実施例では、コントローラ１２４は、ＳＴＡにビーコンインターバルの長さとスリープサイクルフィールド値との乗算の積をＢＩスタートタイムフィールドのレンジの１／２より短く維持させてもよい。
【０１７９】
いくつかの例示的な実施例では、コントローラ１２４は、例えば、ＢＩスタートタイムフィールドがｎビットを含む場合、ＳＴＡに２の冪乗であって、及び／又は（２（ｎ−１）−１）とビーコンインターバル持続時間との間のレシオ未満である値にＷＳＥにおけるスリープサイクルフィールドをＳＴＡに設定させてもよい。
【０１８０】
いくつかの例示的な実施例では、スリープサイクルフィールド値は、２の冪乗のみとすることが可能であり、ビーコンインターバル持続時間によって除算される（２３１−１）の結果未満である。他の値が確保されてもよい。
【０１８１】
他の実施例では、スリープサイクルフィールド値は、他の何れかの追加的又は代替的基準及び／又は計算に従って設定されてもよい。
【０１８２】
いくつかの例示的な実施例では、コントローラ１２４は、例えば、各スリープサイクルの始めなどのスリープサイクルの始めに、ＳＴＡにアウェイクＢＩの数を示すようにＷＳＥのアウェイク／ドーズＢＩ数フィールドを設定させてもよい。
【０１８３】
いくつかの例示的な実施例では、コントローラ１２４は、例えば、アウェイクＢＩがスリープサイクルに含まれないことを示すため、ＳＴＡにアウェイク／ドーズＢＩ数フィールドをゼロの値に設定させてもよい。
【０１８４】
いくつかの例示的な実施例では、コントローラ１５４は、例えば、デバイス１４０により実現される無線局などの無線局に、ＷＳＥ発信元ＳＴＡなどの他のＳＴＡにより生成されうるＷＳＥを含む受信フレームの受信を処理させるよう構成されてもよい。例えば、コントローラ１５４は、デバイス１０２により送信されるフレームの受信を無線局に処理させるよう構成されてもよい。
【０１８５】
いくつかの例示的な実施例では、コントローラ１５４は、例えば、無線局に非ＰＣＰ／ＡＰ  ＳＴＡなどからのＷＳＥを含むフレームの受信を処理するため、ＰＣＰ  ＳＴＡの機能を実行させてもよい。例えば、フレームは、上述されるように、ＤＭＧパワーセーブコンフィギュレーションリクエストフレームを含んでもよい。
【０１８６】
いくつかの例示的な実施例では、コントローラ１５４は、例えば、無線局にＰＣＰ  ＳＴＡからのＷＳＥを含むフレームの受信を処理するため、非ＰＣＰ／ＡＰ  ＳＴＡの機能を実行させてもよい。例えば、フレームは、上述されるように、ＤＭＧビーコンフレームを含んでもよい。
【０１８７】
いくつかの例示的な実施例では、ＷＳＥ発信元ＳＴＡはＰＣＰ  ＳＴＡを含んでもよい。例えば、ＷＳＥは、ＰＣＰ  ＳＴＡのＰＰＳモードを示すため、ＰＣＰ  ＳＴＡにより生成されるＷＳＥを含んでもよい。
【０１８８】
いくつかの例示的な実施例では、ＷＳＥ発信元ＳＴＡは、他の非ＰＣＰ  ＳＴＡであってもよい。例えば、ＷＳＥは、他の非ＰＣＰ／ＡＰ  ＳＴＡにより生成されるＷＳＥを含んでもよく、例えば、ＰＣＰ  ＳＴＡにより通知されてもよい。
【０１８９】
いくつかの例示的な実施例では、コントローラ１５４は、例えば、後述されるように、ＷＳＥ発信元ＳＴＡのＷＳＥに基づき、無線局にＷＳＥ発信元ＳＴＡのＰＳモード及び／又はアクティブモードを決定、特定及び／又は検出させてもよい。
【０１９０】
いくつかの例示的な実施例では、コントローラ１５４は、例えば、後述されるように、ＷＳＥ発信元ＳＴＡの受信したＷＳＥに基づき、無線局にＷＳＥ発信元ＳＴＡの１つ以上のアウェイクＢＩ及び／又は１つ以上のドーズＢＩを決定、特定及び／又は検出させてもよい。
【０１９１】
いくつかの例示的な実施例では、デバイス１０２により実現されるＳＴＡなどの他のＳＴＡのＷＳＥを有するデバイス１０４により実現されるＳＴＡなどのＳＴＡは、ＷＳＥが受信されるＢＩなどのＢＩのＴＢＴＴの下位４バイトとＷＳＥのパラメータとを利用して、ＷＳＥが属するＳＴＡのアクティブモード、ＰＳモード、アウェイクＢＩ及び／又はドーズＢＩを特定可能である。
【０１９２】
いくつかの例示的な実施例では、コントローラ１５４は、例えば、
【０１９３】
【表１】
2019198118.tif 000003
である場合、又はであるとき、ＷＳＥが属するＳＴＡがアクティブモードであることを無線局に決定、特定及び／又は検出させてもよい。
【０１９４】
いくつかの例示的な実施例では、コントローラ１５４は、例えば、
【０１９５】
【表２】
2019198118.tif 000004
である場合、又はであるとき、ＷＳＥが属するＳＴＡがＰＳモードであることを無線局に決定、特定及び／又は検出させてもよい。
【０１９６】
いくつかの例示的な実施例では、ＷＳＥが属するＳＴＡがＰＳモードである場合、又はあるとき、ＳＴＡは、例えば、以下のように、スリープサイクルにおけるポジションにあってもよい。
【０１９７】
【表３】
2019198118.tif 000005
いくつかの例示的な実施例では、コントローラ１５４は、例えば、
【０１９８】
【表４】
2019198118.tif 000006
である場合、又はであるとき、ＷＳＥが属するＳＴＡがアウェイクＢＩにあることを無線局に決定、特定及び／又は検出させてもよい。
【０１９９】
いくつかの例示的な実施例では、コントローラ１５４は、例えば、
【０２００】
【表５】
2019198118.tif 000007
である場合、又はであるとき、ＷＳＥが属するＳＴＡがドーズＢＩにあることを無線局に決定、特定及び／又は検出させてもよい。
【０２０１】
いくつかの例示的な実施例によるＢＩスタートタイムフィールドが更新される際のＰＳモードの通知を概略的に示す図３が参照される。例えば、図３に関して後述される処理１つ以上は、デバイス１０２により実現されるＳＴＡ（図１）及び／又はデバイス１０４により実現されるＳＴＡ（図１）などのＳＴＡによって実行されてもよい。
【０２０２】
いくつかの例示的な実施例では、図３に示されるように、ＳＴＡは１により示される時点などにおいてＷＳＥをフレームに挿入してもよい。図３に示されるように、ＷＳＥは、１６進数形式で（０ｘ１０）に設定されるビーコンインターバルスタートタイムフィールド値を含んでもよい。
【０２０３】
いくつかの例示的な実施例では、図３に示されるように、“２”、“３”、“４”、“５”、“６”及び“７”により示される以降の時点において、１６進数形式のビーコンインターバルスタートタイムフィールド値（０ｘ１０）とＴＢＴＴの下位１６ビットとの間の差分が、１６進数形式の（０ｘ８０）などのビーコンインターバルスタートタイムレンジの１／２と比較されてもよい。
【０２０４】
いくつかの例示的な実施例では、ＳＴＡは、例えば、“８”により示される時点の後でさえ、ＰＳモードに留まることを選択してもよい。
【０２０５】
いくつかの例示的な実施例では、ＳＴＡは、例えば、スリープサイクル中、スリープサイクルの実際のビーコンインターバルスタートタイム値を置換及び／又は更新するよう構成されてもよい。一例では、ＳＴＡは、例えば、１６進数形式で（０ｘ１０）などのスリープサイクルの実際のビーコンインターバルスタートタイムをプラスした１６進数形式の（０ｘ８０）などのビーコンインターバルスタートタイムフィールドの全範囲の１／２未満である時間においてスリープサイクルの実際のビーコンインターバルスタートタイム値を置換及び／又は更新するよう構成されてもよい。他の例では、ＳＴＡは、他の何れかの時間においてスリープサイクルの実際のビーコンインターバルスタートタイムを置換及び／又は更新するよう構成されてもよい。
【０２０６】
いくつかの例示的な実施例では、図３に示されるように、ＳＴＡは、（０ｘ１０）から新たな及び／又は更新された値（“新たなビーコンインターバルスタートタイム”）にビーコンインターバルスタートタイムにおける値を更新し、例えば、ＳＴＡのＰＳモード中、“ＮＳ”により示される時点でＳＴＡＳにより送信されうるフレームにＷＳＥを挿入してもよい。
【０２０７】
いくつかの例示的な実施例では、図３に示されるように、ＳＴＡは、例えば、１６進数形式でＴＢＴＴ＝０ｘ２８５などの時点ＮＳにおいてスリープサイクルの新たなビーコンインターバルスタートタイムを割り当ててもよい。
【０２０８】
いくつかの例示的な実施例では、ＳＴＡは、例えば、新たなビーコンインターバルスタートタイムと共に送信されるビーコンにおいて、ＴＢＴＴの下位１６ビットなどのＴＢＴＴの値に新たなビーコンインターバルスタートタイム値を設定してもよい。
【０２０９】
例えば、図３に示されるように、ＳＴＡは、例えば、１６進数形式でＴＢＴＴ＝０ｘ２８５の下位１６ビットを含む１６進数形式の０ｘ８５の値に新たなビーコンインターバルスタートタイム値を設定してもよい。
【０２１０】
いくつかの例示的な実施例では、図３に示されるように、１６進数形式における新たなビーコンインターバルスタートタイムフィールド値（０ｘ８５）と時点８，９におけるＴＢＴＴの下位１６ビットとの間の差分は、ＳＴＡが時点８及び／又は９においてＰＳモードにあることを正しく通知してもよい。例えば、１６進数形式における新たなビーコンインターバルスタートタイムフィールド値（０ｘ８５）と時点８，９におけるＴＢＴＴの下位１６ビットとの間の差分は、１６進数形式における（０ｘ８０）などのビーコンインターバルスタートタイムフィールドの全範囲以上であってもよい。
【０２１１】
いくつかの例示的な実施例による電力管理方法を概略的に示す図４が参照される。例えば、図４の方法の処理の１つ以上は、例えば、システム１００（図１）などのシステム、デバイス１０２（図１）及び／又はデバイス１４０（図１）などの１つ以上の無線デバイス、コントローラ１２４（図１）及び／又はコントローラ１５４（図１）などのコントローラ、無線機１１４（図１）及び／又は無線機１４４（図１）などの無線機、及び／又はメッセージプロセッサ１２８（図１）及び／又はメッセージプロセッサ１５８（図１）などのメッセージプロセッサの１つ以上の要素によって実行されてもよい。
【０２１２】
ブロック４０２において示されるように、当該方法は、第１のＢＩスタートタイムフィールド値を含む第１のＷＳＥを含む第１のフレームを送信することを含むものであってもよい。例えば、コントローラ１２４（図１）は、例えば、上述されるように、第１のＢＩスタートタイムフィールド値を含む第１のＷＳＥを含む第１のフレームを無線機１１４（図１）に送信させてもよい。
【０２１３】
ブロック４０４において示されるように、当該方法は、第１のＢＩスタートタイムフィールド値に基づきＰＳモードにスイッチすることを含むものであってもよい。例えば、コントローラ１２４（図１）は、上述されたように、第１のＢＩスタートタイムフィールド値に基づき、デバイス１０２（図１）により実現されるＳＴＡにＰＳモードにスイッチさせてもよい。
【０２１４】
ブロック４０６において示されるように、当該方法は、例えば、第１のＢＩスタートタイムフィールド値と異なる第２のＢＩスタートタイムフィールド値を含む第２ＷＳＥを含む第２のフレームをＰＳ中に送信することを含んでもよい。例えば、コントローラ１２４（図１）は、上述されたように、ＰＳモード中に第２のＢＩスタートタイムフィールド値を含む第２のＷＳＥを含む第２のフレームを無線機１１４（図１）に送信させてもよい。
【０２１５】
ブロック４０８において示されるように、当該方法は、ＢＩスタートタイムフィールド値を含むＷＳＥを含む受信したフレームを処理することを含むものであってもよい。例えば、コントローラ１５４（図１）は、上述されたように、第１のＷＳＥを含む第１のフレーム及び／又は第２のＷＳＥを含む第２のフレームの受信を処理するようメッセージプロセッサ１５８（図１）を制御してもよい。
【０２１６】
ブロック４１０において示されるように、当該方法は、例えば、ＷＳＥにおけるＢＩスタートタイムフィールド値に基づき、受信したＷＳＥが属するＳＴＡの動作モードを決定することを含むものであってもよい。例えば、コントローラ１５４（図１）は、例えば、上述されたように、ＷＳＥにおけるＢＩスタートタイムフィールド値に基づき、ＷＳＥが属するＳＴＡがＰＳモード、アクティブモード、ドーズＢＩ又はアウェイクＢＩであるか判断してもよい。
【０２１７】
いくつかの例示的な実施例による製造物５００を概略的に示す図５が参照される。物５００は、例えば、デバイス１０２及び／又は１４０（図１）、送信機１１８及び／又は１４８（図１）、受信機１１６及び／又は１４６（図１）、コントローラ１２４及び／又は１５４（図１）、メッセージプロセッサ１２８及び／又は１５８（図１）の機能の少なくとも一部を実行し、及び／又は図２及び／又は４の１つ以上の処理を実行するのに利用されうるロジック５０４を記憶するための非一時的なマシーン可読記憶媒体５０２を含んでもよい。“非一時的なマシーン可読媒体”という語句は、唯一の例外が一時的な伝搬信号である全てのコンピュータ可読媒体を含むものである。
【０２１８】
いくつかの例示的な実施例では、物５００及び／又はマシーン可読記憶媒体５０２は、揮発性メモリ、不揮発性メモリ、着脱可能若しくは着脱不可なメモリ、消去可能若しくは消去不可なメモリ、書き込み可能若しくは書き換え可能なメモリなどを含む、データを記憶可能な１つ以上のタイプのコンピュータ可読記憶媒体を含むものであってもよい。例えば、マシーン可読記憶媒体５０２は、ＲＡＭ、ＤＲＡＭ、ダブルデータレートＤＲＡＭ（ＤＤＲ−ＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的に消去可能なプログラマブルＲＯＭ（ＥＥＰＲＯＭ）、コンパクトディスクＲＯＭ（ＣＤ−ＲＯＭ）、コンパクトディスクレコーダブル（ＣＤ−Ｒ）、コンパクトディスクリライタブル（ＣＤ−ＲＷ）、フラッシュメモリ（例えば、ＮＯＲ又はＮＡＮＤフラッシュメモリ）、コンテンツアドレッサブルメモリ（ＣＡＭ）、ポリマメモリ、相変化メモリ、強誘電メモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、ディスク、フロッピー（登録商標）ディスク、ハードドライブ、光ディスク、磁気ディスク、カード、磁気カード、光カード、テープ、カセットなどを含むものであってもよい。コンピュータ可読記憶媒体は、モデム、無線機又はネットワーク接続などの通信リンクを介し搬送波又は他の伝搬媒体に具体化されるデータ信号によって搬送されるコンピュータプログラムをリモートコンピュータから要求元コンピュータにダウンロード又は転送することに関する何れか適切な媒体を含むものであってもよい。
【０２１９】
いくつかの例示的な実施例では、ロジック５０４は、マシーンにより実行された場合、ここに説明されるような方法、プロセス及び／又は処理をマシーンに実行させる命令、データ及び／又はコードを含むものであってもよい。マシーンは、例えば、何れか適切な処理プラットフォーム、計算プラットフォーム、計算デバイス、処理デバイス、計算システム、処理システム、コンピュータ、プロセッサなどを含んでもよく、ハードウェア、ソフトウェア、ファームウェアなどの何れか適した組み合わせを用いて実現されてもよい。
【０２２０】
いくつかの例示的な実施例では、ロジック５０４は、ソフトウェア、ソフトウェアモジュール、アプリケーション、プログラム、サブルーチン、命令、命令セット、計算コード、ワード、値、シンボルなどを含んでもよいし、あるいは、これらとして実現されてもよい。命令は、ソースコード、コンパイルされたコード、インタープリットされたコード、実行可能コード、静的コード、動的コードなどの何れか適したタイプのコードを含んでもよい。命令は、プロセッサに特定の機能を実行するよう指示するための所定のコンピュータ言語、方式又はシンタックスに従って実現されてもよい。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、機械語などの何れか適したハイレベル、ローレベル、オブジェクト指向、ビジュアル、コンパイル及び／又はインタープリットプログラミング言語を用いて実現されてもよい。
［具体例］
以下の具体例は更なる実施例に関する。
【０２２１】
具体例１は、第１のウェイクアップスケジュール要素（ＷＳＥ）を有する第１のフレームを送信するステップであって、第１のＷＳＥは第１のビーコンインターバル（ＢＩ）スタートタイムフィールド値を有する、送信するステップと、第１のＢＩスタートタイムフィールド値に基づきパワーセーブ（ＰＳ）モードにスイッチするステップと、ＰＳモード中に第２のＷＳＥを有する第２のフレームを送信するステップであって、第２のＷＳＥは第１のＢＩスタートタイムフィールド値と異なる第２のＢＩスタートタイムフィールド値を有する、送信するステップとを無線局に実行させるよう構成される回路を有する装置を含む。
【０２２２】
具体例２は、具体例１の主題を含み、任意的に、第１のＢＩスタートタイムフィールド値は、第１のフレームが送信されるＢＩのターゲットビーコン送信時間（ＴＢＴＴ）に基づく。
【０２２３】
具体例３は、具体例２の主題を含み、任意的に、第１のＢＩスタートタイムフィールド値は、第１のフレームが送信されるＢＩのＴＢＴＴの下位４オクテットに基づく。
【０２２４】
具体例４は、具体例３の主題を含み、任意的に、第１のＢＩスタートタイムフィールド値は、ＴＢＴＴの下位４オクテットと２３１−１未満である値とに基づく。
【０２２５】
具体例５は、具体例１〜４の何れか１つの主題を含み、任意的に、第２のＢＩスタートタイムフィールド値は、スリープサイクルのスタート時間におけるＢＩのターゲットビーコン送信時間（ＴＢＴＴ）に基づく。
【０２２６】
具体例６は、具体例５の主題を含み、任意的に、第２のＢＩスタートタイムフィールド値は、スリープサイクルのスタート時間におけるＢＩのＴＢＴＴの下位４オクテットに基づく。
【０２２７】
具体例７は、具体例５の主題を含み、任意的に、第２のＢＩスタートタイムフィールド値は、現在のスリープサイクルのスタート時間におけるＢＩのＴＢＴＴの下位４オクテットに基づく。
【０２２８】
具体例８は、具体例１〜７の何れか１つの主題を含み、任意的に、第１のＢＩスタートタイムフィールド値は、所定の時間範囲内にあり、第２のＢＩスタートタイムフィールド値は、所定の時間範囲より長くＰＳモードを延長するためのものである。
【０２２９】
具体例９は、具体例１〜８の何れか１つの主題を含み、任意的に、第１のＢＩスタートタイムフィールド値は、ＢＩスタートタイムフィールド範囲の１／２である値の範囲内にある。
【０２３０】
具体例１０は、具体例１〜９の何れか１つの主題を含み、任意的に、無線局は、パーソナルベーシックサービスセット（ＰＢＳＳ）コントロールポイント（ＰＣＰ）であり、ＰＳモードはＰＣＰ  ＰＳ（ＰＰＳ）を有し、第１及び第２のフレームは第１及び第２のそれぞれのビーコンフレームを有する。
【０２３１】
具体例１１は、具体例１〜９の何れか１つの主題を含み、任意的に、無線局は、非パーソナルベーシックサービスセット（ＰＢＳＳ）コントロールポイント（ＰＣＰ）／非アクセスポイント（ＡＰ）（非ＰＣＰ／非ＡＰ）ステーションである。
【０２３２】
具体例１２は、具体例１〜１１の何れか１つの主題を含み、任意的に、無線局は、ダイレクトマルチギガビット（ＤＭＧ）ステーションである。
【０２３３】
具体例１３は、具体例１〜１２の何れか１つの主題を含み、任意的に、第１及び第２のフレームを送信する無線機を有する。
【０２３４】
具体例１４は、具体例１〜１３の何れか１つの主題を含み、任意的に、メモリと１つ以上のアンテナとを有する。
【０２３５】
具体例１５は、無線局によって実行される方法であって、第１のウェイクアップスケジュール要素（ＷＳＥ）を有する第１のフレームを送信するステップであって、第１のＷＳＥは第１のビーコンインターバル（ＢＩ）スタートタイムフィールド値を有する、送信するステップと、第１のＢＩスタートタイムフィールド値に基づきパワーセーブ（ＰＳ）モードにスイッチするステップと、ＰＳモード中に第２のＷＳＥを有する第２のフレームを送信するステップであって、第２のＷＳＥは第１のＢＩスタートタイムフィールド値と異なる第２のＢＩスタートタイムフィールド値を有する、送信するステップとを有する方法を含む。
【０２３６】
具体例１６は、具体例１５の主題を含み、任意的に、第１のＢＩスタートタイムフィールド値は、第１のフレームが送信されるＢＩのターゲットビーコン送信時間（ＴＢＴＴ）に基づく。
【０２３７】
具体例１７は、具体例１６の主題を含み、任意的に、第１のＢＩスタートタイムフィールド値は、第１のフレームが送信されるＢＩのＴＢＴＴの下位４オクテットに基づく。
【０２３８】
具体例１８は、具体例１７の主題を含み、任意的に、第１のＢＩスタートタイムフィールド値は、任意的に、第１のＢＩスタートタイムフィールド値は、ＴＢＴＴの下位４オクテットと２３１−１未満である値とに基づく。
【０２３９】
具体例１９は、具体例１５〜１８の何れか１つの主題を含み、任意的に、第２のＢＩスタートタイムフィールド値は、スリープサイクルのスタート時間におけるＢＩのターゲットビーコン送信時間（ＴＢＴＴ）に基づく。
【０２４０】
具体例２０は、具体例１９の主題を含み、任意的に、第２のＢＩスタートタイムフィールド値は、スリープサイクルのスタート時間におけるＢＩのＴＢＴＴの下位４オクテットに基づく。
【０２４１】
具体例２１は、具体例１９の主題を含み、任意的に、第２のＢＩスタートタイムフィールド値は、現在のスリープサイクルのスタート時間におけるＢＩのＴＢＴＴの下位４オクテットに基づく。
【０２４２】
具体例２２は、具体例１５〜２１の何れか１つの主題を含み、任意的に、第１のＢＩスタートタイムフィールド値は、所定の時間範囲内にあり、第２のＢＩスタートタイムフィールド値は、所定の時間範囲より長くＰＳモードを延長するためのものである。
【０２４３】
具体例２３は、具体例１５〜２２の何れか１つの主題を含み、任意的に、第１のＢＩスタートタイムフィールド値は、ＢＩスタートタイムフィールド範囲の１／２である値の範囲内にある。
【０２４４】
具体例２４は、具体例１５〜２３の何れか１つの主題を含み、任意的に、無線局は、パーソナルベーシックサービスセット（ＰＢＳＳ）コントロールポイント（ＰＣＰ）であり、ＰＳモードはＰＣＰ  ＰＳ（ＰＰＳ）を有し、第１及び第２のフレームは第１及び第２のそれぞれのビーコンフレームを有する。
【０２４５】
具体例２５は、具体例１５〜２３の何れか１つの主題を含み、任意的に、無線局は、非パーソナルベーシックサービスセット（ＰＢＳＳ）コントロールポイント（ＰＣＰ）／非アクセスポイント（ＡＰ）（非ＰＣＰ／非ＡＰ）ステーションである。
【０２４６】
具体例２６は、具体例１５〜２５の何れか１つの主題を含み、任意的に、無線局は、ダイレクトマルチギガビット（ＤＭＧ）ステーションである。
【０２４７】
具体例２７は、少なくとも１つのコンピュータプロセッサにより実行されると、少なくとも１つのコンピュータプロセッサが無線局において１つ以上の処理を実現することを可能にするよう実行可能なコンピュータ実行可能な命令を有する１つ以上の有形なコンピュータ可読な非一時的な記憶媒体を有する物であって、当該処理は、第１のウェイクアップスケジュール要素（ＷＳＥ）を有する第１のフレームを送信するステップであって、第１のＷＳＥは第１のビーコンインターバル（ＢＩ）スタートタイムフィールド値を有する、送信するステップと、第１のＢＩスタートタイムフィールド値に基づきパワーセーブ（ＰＳ）モードにスイッチするステップと、ＰＳモード中に第２のＷＳＥを有する第２のフレームを送信するステップであって、第２のＷＳＥは第１のＢＩスタートタイムフィールド値と異なる第２のＢＩスタートタイムフィールド値を有する、送信するステップとを有する物を含む。
【０２４８】
具体例２８は、具体例２７の主題を含み、任意的に、第１のＢＩスタートタイムフィールド値は、第１のフレームが送信されるＢＩのターゲットビーコン送信時間（ＴＢＴＴ）に基づく。
【０２４９】
具体例２９は、具体例２８の主題を含み、任意的に、第１のＢＩスタートタイムフィールド値は、第１のフレームが送信されるＢＩのＴＢＴＴの下位４オクテットに基づく。
【０２５０】
具体例３０は、具体例２９の主題を含み、任意的に、第１のＢＩスタートタイムフィールド値は、任意的に、第１のＢＩスタートタイムフィールド値は、ＴＢＴＴの下位４オクテットと２３１−１未満である値とに基づく。
【０２５１】
具体例３１は、具体例２７〜３０の何れか１つの主題を含み、任意的に、第２のＢＩスタートタイムフィールド値は、スリープサイクルのスタート時間におけるＢＩのターゲットビーコン送信時間（ＴＢＴＴ）に基づく。
【０２５２】
具体例３２は、具体例３１の主題を含み、任意的に、第２のＢＩスタートタイムフィールド値は、スリープサイクルのスタート時間におけるＢＩのＴＢＴＴの下位４オクテットに基づく。
【０２５３】
具体例３３は、具体例３１の主題を含み、任意的に、第２のＢＩスタートタイムフィールド値は、現在のスリープサイクルのスタート時間におけるＢＩのＴＢＴＴの下位４オクテットに基づく。
【０２５４】
具体例３４は、具体例２７〜３３の何れか１つの主題を含み、任意的に、第１のＢＩスタートタイムフィールド値は、所定の時間範囲内にあり、第２のＢＩスタートタイムフィールド値は、所定の時間範囲より長くＰＳモードを延長するためのものである。
【０２５５】
具体例３５は、具体例２７〜３４の何れか１つの主題を含み、任意的に、第１のＢＩスタートタイムフィールド値は、ＢＩスタートタイムフィールド範囲の１／２である値の範囲内にある。
【０２５６】
具体例３６は、具体例２７〜３５の何れか１つの主題を含み、任意的に、無線局は、パーソナルベーシックサービスセット（ＰＢＳＳ）コントロールポイント（ＰＣＰ）であり、ＰＳモードはＰＣＰ  ＰＳ（ＰＰＳ）を有し、第１及び第２のフレームは第１及び第２のそれぞれのビーコンフレームを有する。
【０２５７】
具体例３７は、具体例２７〜３５の何れか１つの主題を含み、任意的に、無線局は、非パーソナルベーシックサービスセット（ＰＢＳＳ）コントロールポイント（ＰＣＰ）／非アクセスポイント（ＡＰ）（非ＰＣＰ／非ＡＰ）ステーションである。
【０２５８】
具体例３８は、具体例２７〜３７の何れか１つの主題を含み、任意的に、無線局は、ダイレクトマルチギガビット（ＤＭＧ）ステーションである。
【０２５９】
具体例３９は、無線局による無線通信の装置であって、当該装置は、第１のウェイクアップスケジュール要素（ＷＳＥ）を有する第１のフレームを送信する手段であって、第１のＷＳＥは第１のビーコンインターバル（ＢＩ）スタートタイムフィールド値を有する、送信する手段と、第１のＢＩスタートタイムフィールド値に基づきパワーセーブ（ＰＳ）モードにスイッチする手段と、ＰＳモード中に第２のＷＳＥを有する第２のフレームを送信する手段であって、第２のＷＳＥは第１のＢＩスタートタイムフィールド値と異なる第２のＢＩスタートタイムフィールド値を有する、送信する手段とを有する装置を含む。
【０２６０】
具体例４０は、具体例３９の主題を含み、任意的に、第１のＢＩスタートタイムフィールド値は、第１のフレームが送信されるＢＩのターゲットビーコン送信時間（ＴＢＴＴ）に基づく。
【０２６１】
具体例４１は、具体例４０の主題を含み、任意的に、第１のＢＩスタートタイムフィールド値は、第１のフレームが送信されるＢＩのＴＢＴＴの下位４オクテットに基づく。
【０２６２】
具体例４２は、具体例４１の主題を含み、任意的に、第１のＢＩスタートタイムフィールド値は、ＴＢＴＴの下位４オクテットと２３１−１未満である値とに基づく。
【０２６３】
具体例４３は、具体例３９〜４２の何れか１つの主題を含み、任意的に、第２のＢＩスタートタイムフィールド値は、スリープサイクルのスタート時間におけるＢＩのターゲットビーコン送信時間（ＴＢＴＴ）に基づく。
【０２６４】
具体例４４は、具体例４３の主題を含み、任意的に、第２のＢＩスタートタイムフィールド値は、スリープサイクルのスタート時間におけるＢＩのＴＢＴＴの下位４オクテットに基づく。
【０２６５】
具体例４５は、具体例４３の主題を含み、任意的に、第２のＢＩスタートタイムフィールド値は、現在のスリープサイクルのスタート時間におけるＢＩのＴＢＴＴの下位４オクテットに基づく。
【０２６６】
具体例４６は、具体例３９〜４５の何れか１つの主題を含み、任意的に、第１のＢＩスタートタイムフィールド値は、所定の時間範囲内にあり、第２のＢＩスタートタイムフィールド値は、所定の時間範囲より長くＰＳモードを延長するためのものである。
【０２６７】
具体例４７は、具体例３９〜４６の何れか１つの主題を含み、任意的に、第１のＢＩスタートタイムフィールド値は、ＢＩスタートタイムフィールド範囲の１／２である値の範囲内にある。
【０２６８】
具体例４８は、具体例３９〜４７の何れか１つの主題を含み、任意的に、無線局は、パーソナルベーシックサービスセット（ＰＢＳＳ）コントロールポイント（ＰＣＰ）であり、ＰＳモードはＰＣＰ  ＰＳ（ＰＰＳ）を有し、第１及び第２のフレームは第１及び第２のそれぞれのビーコンフレームを有する。
【０２６９】
具体例４９は、具体例３９〜４７の何れか１つの主題を含み、任意的に、無線局は、非パーソナルベーシックサービスセット（ＰＢＳＳ）コントロールポイント（ＰＣＰ）／非アクセスポイント（ＡＰ）（非ＰＣＰ／非ＡＰ）ステーションである。
【０２７０】
具体例５０は、具体例３９〜４９の何れか１つの主題を含み、任意的に、無線局は、ダイレクトマルチギガビット（ＤＭＧ）ステーションである。
【０２７１】
１つ以上の実施例を参照してここに説明された機能、処理、構成要素及び／又は特徴は、１つ以上の他の実施例を参照してここに説明された１つ以上の他の機能、処理、構成要素及び／又は特徴と組み合わされてもよく、あるいは一緒に利用されてもよい。
【０２７２】
特定の特徴がここで図示及び説明されたが、多数の修正、置換、変更及び等価が当業者に想到しうる。従って、添付した請求項はそのような全ての修正及び変更を開示の真の精神の範囲内としてカバーすることを意図することが理解されるべきである。
【図１】
2019198118.tif 000008
【図２】
2019198118.tif 000009
【図３】
2019198118.tif 000010
【図４】
2019198118.tif 000011
【図５】
2019198118.tif 000012
【外国語明細書】
2019198118000001.pdf